(57)【要約】  本開示は、ＰＵＣＣＨ伝送方法、端末およびネットワーク側機器を提供する。当該方法において、初期ＣＳパラメータ、および、少なくともシンボル番号に関連するランダム値に基づき、各シンボルに対応する目標ＣＳパラメータを決定することと、前記目標ＣＳパラメータに従って、ＰＵＣＣＨを送信することとを含む。【選択図】  図２
2021503810.tif 000002
【特許請求の範囲】
【請求項１】
端末に応用されるＰＵＣＣＨ（Ｐｈｙｓｉｃａｌ  Ｕｐｌｉｎｋ  Ｃｏｎｔｒｏｌ  Ｃｈａｎｎｅｌ）伝送方法において、
初期ＣＳ（Ｃｙｃｌｉｃ  Ｓｈｉｆｔ）パラメータ、および、少なくともシンボル番号に関連するランダム値に基づき、各シンボルに対応する目標ＣＳパラメータを決定することと、
前記目標ＣＳパラメータに従って、ＰＵＣＣＨを送信することと、
を含む、ＰＵＣＣＨ伝送方法。
【請求項２】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数１】
2021503810.tif 000949
を決定すること、
【数２】
2021503810.tif 000950
（第１式）
ここで、
【数３】
2021503810.tif 000951
；
【数４】
2021503810.tif 000952
：設定ＩＤまたはセルＩＤで初期化を行う疑似ランダム系列；
【数５】
2021503810.tif 000953
：番号
【数６】
2021503810.tif 000954
のタイムユニットで番号
【数７】
2021503810.tif 000955
のシンボルに対応する目標ＣＳパラメータ；
【数８】
2021503810.tif 000956
：前記初期ＣＳパラメータ；
【数９】
2021503810.tif 000957
：１つまたは複数のタイムユニットでのシンボル番号；
【数１０】
2021503810.tif 000958
：タイムユニット番号；
【数１１】
2021503810.tif 000959
：１つのＲＢ（Ｒｅｓｏｕｒｃｅ  Ｂｌｏｃｋ）に含まれるサブキャリア数；
【数１２】
2021503810.tif 000960
：１つのスロットに含まれるシンボル数；
を含む、請求項１に記載の方法。
【請求項３】
前記の初期ＣＳパラメータ、および、少なくともシンボル番号に関連するランダム値に基づき、各シンボルに対応する目標ＣＳパラメータを決定することは、
第２式によって、各シンボルに対応する目標ＣＳパラメータ
【数１３】
2021503810.tif 000961
を決定すること、
【数１４】
2021503810.tif 000962
（第２式）
ここで、
【数１５】
2021503810.tif 000963
；
【数１６】
2021503810.tif 000964
：設定ＩＤまたはセルＩＤで初期化を行う疑似ランダム系列；
【数１７】
2021503810.tif 000965
：番号
【数１８】
2021503810.tif 000966
のシンボルに対応する目標ＣＳパラメータ；
【数１９】
2021503810.tif 000967
：前記初期ＣＳパラメータ；
【数２０】
2021503810.tif 000968
：１つまたは複数のタイムユニットでのシンボル番号；
【数２１】
2021503810.tif 000969
：１つのＲＢに含まれるサブキャリア数；
を含む、請求項１に記載の方法。
【請求項４】
前記の初期ＣＳパラメータ、および、少なくともシンボル番号に関連するランダム値に基づき、各シンボルに対応する目標ＣＳパラメータを決定することは、
第３式によって、各シンボルに対応する目標ＣＳパラメータ
【数２２】
2021503810.tif 000970
を決定すること、
【数２３】
2021503810.tif 000971
（第３式）
ここで、
【数２４】
2021503810.tif 000972
；
【数２５】
2021503810.tif 000973
：設定ＩＤまたはセルＩＤで初期化を行う疑似ランダム系列；
【数２６】
2021503810.tif 000974
：番号
【数２７】
2021503810.tif 000975
のタイムユニットで番号
【数２８】
2021503810.tif 000976
のシンボルに対応する目標ＣＳパラメータ；
【数２９】
2021503810.tif 000977
：前記初期ＣＳパラメータ；
【数３０】
2021503810.tif 000978
：１つまたは複数のタイムユニットでのシンボル番号；
【数３１】
2021503810.tif 000979
：タイムユニット番号；
【数３２】
2021503810.tif 000980
：１つのＲＢに含まれるサブキャリア数；
【数３３】
2021503810.tif 000981
：ＣＳ間隔；
【数３４】
2021503810.tif 000982
：１つのスロットに含まれるシンボル数；
を含む、請求項１に記載の方法。
【請求項５】
前記の初期ＣＳパラメータ、および、少なくともシンボル番号に関連するランダム値に基づき、各シンボルに対応する目標ＣＳパラメータを決定することは、
第４式によって、各シンボルに対応する目標ＣＳパラメータ
【数３５】
2021503810.tif 000983
を決定すること、
【数３６】
2021503810.tif 000984
（第４式）
ここで、
【数３７】
2021503810.tif 000985
；
【数３８】
2021503810.tif 000986
：設定ＩＤまたはセルＩＤで初期化を行う疑似ランダム系列；
【数３９】
2021503810.tif 000987
：番号
【数４０】
2021503810.tif 000988
のシンボルに対応する目標ＣＳパラメータ；
【数４１】
2021503810.tif 000989
：前記初期ＣＳパラメータ；
【数４２】
2021503810.tif 000990
：１つまたは複数のタイムユニットでのシンボル番号；
【数４３】
2021503810.tif 000991
：１つのＲＢに含まれるサブキャリア数；
【数４４】
2021503810.tif 000992
：ＣＳ間隔；
を含む、請求項１に記載の方法。
【請求項６】
前記の初期ＣＳパラメータ、および、少なくともシンボル番号に関連するランダム値に基づき、各シンボルに対応する目標ＣＳパラメータを決定することは、
第５式によって、各シンボルに対応する目標ＣＳパラメータ
【数４５】
2021503810.tif 000993
を決定すること、
【数４６】
2021503810.tif 000994
（第５式）
ここで、
【数４７】
2021503810.tif 000995
；
【数４８】
2021503810.tif 000996
：設定ＩＤまたはセルＩＤで初期化を行う疑似ランダム系列；
【数４９】
2021503810.tif 000997
：番号
【数５０】
2021503810.tif 000998
のタイムユニットで番号
【数５１】
2021503810.tif 000999
のシンボルに対応する目標ＣＳパラメータ；
【数５２】
2021503810.tif 001000
：前記初期ＣＳパラメータ；
【数５３】
2021503810.tif 001001
：１つまたは複数のタイムユニットでのシンボル番号；
【数５４】
2021503810.tif 001002
：タイムユニット番号；
【数５５】
2021503810.tif 001003
：１つのＲＢに含まれるサブキャリア数；
【数５６】
2021503810.tif 001004
：ＣＳ間隔；
【数５７】
2021503810.tif 001005
：１つのスロットに含まれるシンボル数；
を含む、請求項１に記載の方法。
【請求項７】
前記の初期ＣＳパラメータ、および、少なくともシンボル番号に関連するランダム値に基づき、各シンボルに対応する目標ＣＳパラメータを決定することは、
第６式によって、各シンボルに対応する目標ＣＳパラメータ
【数５８】
2021503810.tif 001006
を決定すること、
【数５９】
2021503810.tif 001007
（第６式）
ここで、
【数６０】
2021503810.tif 001008
；
【数６１】
2021503810.tif 001009
：設定ＩＤまたはセルＩＤで初期化を行う疑似ランダム系列；
【数６２】
2021503810.tif 001010
：番号
【数６３】
2021503810.tif 001011
のシンボルに対応する目標ＣＳパラメータ；
【数６４】
2021503810.tif 001012
：前記初期ＣＳパラメータ；
【数６５】
2021503810.tif 001013
：１つまたは複数のタイムユニットでのシンボル番号；
【数６６】
2021503810.tif 001014
：１つのＲＢに含まれるサブキャリア数；
【数６７】
2021503810.tif 001015
：ＣＳ間隔；
を含む、請求項１に記載の方法。
【請求項８】
前記タイムユニットは、
１つまたは複数のスロット、
または、１４個のシンボル、
または、１つまたは複数のサブフレーム、
を含む、請求項２〜７のいずれか一項に記載の方法。
【請求項９】
前記初期ＣＳパラメータは、
ネットワーク側機器からハイレイヤシグナリングによって前記端末に対し予め設定されたＣＳパラメータであり、
または、ネットワーク側機器からＤＣＩ（Ｄｏｗｎｌｉｎｋ  Ｃｏｎｔｒｏｌ  Ｉｎｆｏｒｍａｔｉｏｎ）によって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである、請求項１〜７のいずれか一項に記載の方法。
【請求項１０】
ネットワーク側機器に応用されるＰＵＣＣＨ伝送方法において、
初期ＣＳパラメータ、および、少なくともシンボル番号に関連するランダム値に基づき、各シンボルに対応する目標ＣＳパラメータを決定することと、
前記目標ＣＳパラメータに従って、端末から送信されるＰＵＣＣＨを受信することと、
を含む、ＰＵＣＣＨ伝送方法。
【請求項１１】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数６８】
2021503810.tif 001016
を決定すること、
【数６９】
2021503810.tif 001017
（第１式）
ここで、
【数７０】
2021503810.tif 001018
；
【数７１】
2021503810.tif 001019
：設定ＩＤまたはセルＩＤで初期化を行う疑似ランダム系列；
【数７２】
2021503810.tif 001020
：番号
【数７３】
2021503810.tif 001021
のタイムユニットで番号
【数７４】
2021503810.tif 001022
のシンボルに対応する目標ＣＳパラメータ；
【数７５】
2021503810.tif 001023
：前記初期ＣＳパラメータ；
【数７６】
2021503810.tif 001024
：１つまたは複数のタイムユニットでのシンボル番号；
【数７７】
2021503810.tif 001025
：タイムユニット番号；
【数７８】
2021503810.tif 001026
：１つのＲＢに含まれるサブキャリア数；
【数７９】
2021503810.tif 001027
：１つのスロットに含まれるシンボル数；
を含む、請求項１０に記載の方法。
【請求項１２】
前記の初期ＣＳパラメータ、および、少なくともシンボル番号に関連するランダム値に基づき、各シンボルに対応する目標ＣＳパラメータを決定することは、
第２式によって、各シンボルに対応する目標ＣＳパラメータ
【数８０】
2021503810.tif 001028
を決定すること、
【数８１】
2021503810.tif 001029
（第２式）
ここで、
【数８２】
2021503810.tif 001030
；
【数８３】
2021503810.tif 001031
：設定ＩＤまたはセルＩＤで初期化を行う疑似ランダム系列；
【数８４】
2021503810.tif 001032
：番号
【数８５】
2021503810.tif 001033
のシンボルに対応する目標ＣＳパラメータ；
【数８６】
2021503810.tif 001034
：前記初期ＣＳパラメータ；
【数８７】
2021503810.tif 001035
：１つまたは複数のタイムユニットでのシンボル番号；
【数８８】
2021503810.tif 001036
：１つのＲＢに含まれるサブキャリア数；
を含む、請求項１０に記載の方法。
【請求項１３】
前記の初期ＣＳパラメータ、および、少なくともシンボル番号に関連するランダム値に基づき、各シンボルに対応する目標ＣＳパラメータを決定することは、
第３式によって、各シンボルに対応する目標ＣＳパラメータ
【数８９】
2021503810.tif 001037
を決定すること、
【数９０】
2021503810.tif 001038
（第３式）
ここで、
【数９１】
2021503810.tif 001039
；
【数９２】
2021503810.tif 001040
：設定ＩＤまたはセルＩＤで初期化を行う疑似ランダム系列；
【数９３】
2021503810.tif 001041
：番号
【数９４】
2021503810.tif 001042
のタイムユニットで番号
【数９５】
2021503810.tif 001043
のシンボルに対応する目標ＣＳパラメータ；
【数９６】
2021503810.tif 001044
：前記初期ＣＳパラメータ；
【数９７】
2021503810.tif 001045
：１つまたは複数のタイムユニットでのシンボル番号；
【数９８】
2021503810.tif 001046
：タイムユニット番号；
【数９９】
2021503810.tif 001047
：１つのＲＢに含まれるサブキャリア数；
【数１００】
2021503810.tif 001048
：ＣＳ間隔；
【数１０１】
2021503810.tif 001049
：１つのスロットに含まれるシンボル数；
を含む、請求項１０に記載の方法。
【請求項１４】
前記の初期ＣＳパラメータ、および、少なくともシンボル番号に関連するランダム値に基づき、各シンボルに対応する目標ＣＳパラメータを決定することは、
第４式によって、各シンボルに対応する目標ＣＳパラメータ
【数１０２】
2021503810.tif 001050
を決定すること、
【数１０３】
2021503810.tif 001051
（第４式）
ここで、
【数１０４】
2021503810.tif 001052
；
【数１０５】
2021503810.tif 001053
：設定ＩＤまたはセルＩＤで初期化を行う疑似ランダム系列；
【数１０６】
2021503810.tif 001054
：番号
【数１０７】
2021503810.tif 001055
のシンボルに対応する目標ＣＳパラメータ；
【数１０８】
2021503810.tif 001056
：前記初期ＣＳパラメータ；
【数１０９】
2021503810.tif 001057
：１つまたは複数のタイムユニットでのシンボル番号；
【数１１０】
2021503810.tif 001058
：１つのＲＢに含まれるサブキャリア数；
【数１１１】
2021503810.tif 001059
：ＣＳ間隔；
を含む、請求項１０に記載の方法。
【請求項１５】
前記の初期ＣＳパラメータ、および、少なくともシンボル番号に関連するランダム値に基づき、各シンボルに対応する目標ＣＳパラメータを決定することは、
第５式によって、各シンボルに対応する目標ＣＳパラメータ
【数１１２】
2021503810.tif 001060
を決定すること、
【数１１３】
2021503810.tif 001061
（第５式）
ここで、
【数１１４】
2021503810.tif 001062
；
【数１１５】
2021503810.tif 001063
：設定ＩＤまたはセルＩＤで初期化を行う疑似ランダム系列；
【数１１６】
2021503810.tif 001064
：番号
【数１１７】
2021503810.tif 001065
のタイムユニットで番号
【数１１８】
2021503810.tif 001066
のシンボルに対応する目標ＣＳパラメータ；
【数１１９】
2021503810.tif 001067
：前記初期ＣＳパラメータ；
【数１２０】
2021503810.tif 001068
：１つまたは複数のタイムユニットでのシンボル番号；
【数１２１】
2021503810.tif 001069
：タイムユニット番号；
【数１２２】
2021503810.tif 001070
：１つのＲＢに含まれるサブキャリア数；
【数１２３】
2021503810.tif 001071
：ＣＳ間隔；
【数１２４】
2021503810.tif 001072
：１つのスロットに含まれるシンボル数；
を含む、請求項１０に記載の方法。
【請求項１６】
前記の初期ＣＳパラメータ、および、少なくともシンボル番号に関連するランダム値に基づき、各シンボルに対応する目標ＣＳパラメータを決定することは、
第６式によって、各シンボルに対応する目標ＣＳパラメータ
【数１２５】
2021503810.tif 001073
を決定すること、
【数１２６】
2021503810.tif 001074
（第６式）
ここで、
【数１２７】
2021503810.tif 001075
；
【数１２８】
2021503810.tif 001076
：設定ＩＤまたはセルＩＤで初期化を行う疑似ランダム系列；
【数１２９】
2021503810.tif 001077
：番号
【数１３０】
2021503810.tif 001078
のシンボルに対応する目標ＣＳパラメータ；
【数１３１】
2021503810.tif 001079
：前記初期ＣＳパラメータ；
【数１３２】
2021503810.tif 001080
：１つまたは複数のタイムユニットでのシンボル番号；
【数１３３】
2021503810.tif 001081
：１つのＲＢに含まれるサブキャリア数；
【数１３４】
2021503810.tif 001082
：ＣＳ間隔；
を含む、請求項１０に記載の方法。
【請求項１７】
前記タイムユニットは、
１つまたは複数のスロット、
または、１４個のシンボル、
または、１つまたは複数のサブフレーム、
を含む、請求項１１〜１６のいずれか一項に記載の方法。
【請求項１８】
前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである、請求項１０〜１６のいずれか一項に記載の方法。
【請求項１９】
初期ＣＳパラメータ、および、少なくともシンボル番号に関連するランダム値に基づき、各シンボルに対応する目標ＣＳパラメータを決定するための第１計算モジュールと、
前記目標ＣＳパラメータに従って、ＰＵＣＣＨを送信するための送信モジュールと、
を含む、端末。
【請求項２０】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数１３５】
2021503810.tif 001083
を決定すること、
【数１３６】
2021503810.tif 001084
（第１式）
ここで、
【数１３７】
2021503810.tif 001085
；
【数１３８】
2021503810.tif 001086
：設定ＩＤまたはセルＩＤで初期化を行う疑似ランダム系列；
【数１３９】
2021503810.tif 001087
：番号
【数１４０】
2021503810.tif 001088
のタイムユニットで番号
【数１４１】
2021503810.tif 001089
のシンボルに対応する目標ＣＳパラメータ；
【数１４２】
2021503810.tif 001090
：前記初期ＣＳパラメータ；
【数１４３】
2021503810.tif 001091
：１つまたは複数のタイムユニットでのシンボル番号；
【数１４４】
2021503810.tif 001092
：タイムユニット番号；
【数１４５】
2021503810.tif 001093
：１つのＲＢ（Ｒｅｓｏｕｒｃｅ  Ｂｌｏｃｋ）に含まれるサブキャリア数；
【数１４６】
2021503810.tif 001094
：１つのスロットに含まれるシンボル数；
を含む、請求項１９に記載の端末。
【請求項２１】
前記の初期ＣＳパラメータ、および、少なくともシンボル番号に関連するランダム値に基づき、各シンボルに対応する目標ＣＳパラメータを決定することは、
第２式によって、各シンボルに対応する目標ＣＳパラメータ
【数１４７】
2021503810.tif 001095
を決定すること、
【数１４８】
2021503810.tif 001096
（第２式）
ここで、
【数１４９】
2021503810.tif 001097
；
【数１５０】
2021503810.tif 001098
：設定ＩＤまたはセルＩＤで初期化を行う疑似ランダム系列；
【数１５１】
2021503810.tif 001099
：番号
【数１５２】
2021503810.tif 001100
のシンボルに対応する目標ＣＳパラメータ；
【数１５３】
2021503810.tif 001101
：前記初期ＣＳパラメータ；
【数１５４】
2021503810.tif 001102
：１つまたは複数のタイムユニットでのシンボル番号；
【数１５５】
2021503810.tif 001103
：１つのＲＢに含まれるサブキャリア数；
を含む、請求項１９に記載の端末。
【請求項２２】
前記の初期ＣＳパラメータ、および、少なくともシンボル番号に関連するランダム値に基づき、各シンボルに対応する目標ＣＳパラメータを決定することは、
第３式によって、各シンボルに対応する目標ＣＳパラメータ
【数１５６】
2021503810.tif 001104
を決定すること、
【数１５７】
2021503810.tif 001105
（第３式）
ここで、
【数１５８】
2021503810.tif 001106
；
【数１５９】
2021503810.tif 001107
：設定ＩＤまたはセルＩＤで初期化を行う疑似ランダム系列；
【数１６０】
2021503810.tif 001108
：番号
【数１６１】
2021503810.tif 001109
のタイムユニットで番号
【数１６２】
2021503810.tif 001110
のシンボルに対応する目標ＣＳパラメータ；
【数１６３】
2021503810.tif 001111
：前記初期ＣＳパラメータ；
【数１６４】
2021503810.tif 001112
：１つまたは複数のタイムユニットでのシンボル番号；
【数１６５】
2021503810.tif 001113
：タイムユニット番号；
【数１６６】
2021503810.tif 001114
：１つのＲＢに含まれるサブキャリア数；
【数１６７】
2021503810.tif 001115
：ＣＳ間隔；
【数１６８】
2021503810.tif 001116
：１つのスロットに含まれるシンボル数；
を含む、請求項１９に記載の端末。
【請求項２３】
前記の初期ＣＳパラメータ、および、少なくともシンボル番号に関連するランダム値に基づき、各シンボルに対応する目標ＣＳパラメータを決定することは、
第４式によって、各シンボルに対応する目標ＣＳパラメータ
【数１６９】
2021503810.tif 001117
を決定すること、
【数１７０】
2021503810.tif 001118
（第４式）
ここで、
【数１７１】
2021503810.tif 001119
；
【数１７２】
2021503810.tif 001120
：設定ＩＤまたはセルＩＤで初期化を行う疑似ランダム系列；
【数１７３】
2021503810.tif 001121
：番号
【数１７４】
2021503810.tif 001122
のシンボルに対応する目標ＣＳパラメータ；
【数１７５】
2021503810.tif 001123
：前記初期ＣＳパラメータ；
【数１７６】
2021503810.tif 001124
：１つまたは複数のタイムユニットでのシンボル番号；
【数１７７】
2021503810.tif 001125
：１つのＲＢに含まれるサブキャリア数；
【数１７８】
2021503810.tif 001126
：ＣＳ間隔；
を含む、請求項１９に記載の端末。
【請求項２４】
前記の初期ＣＳパラメータ、および、少なくともシンボル番号に関連するランダム値に基づき、各シンボルに対応する目標ＣＳパラメータを決定することは、
第５式によって、各シンボルに対応する目標ＣＳパラメータ
【数１７９】
2021503810.tif 001127
を決定すること、
【数１８０】
2021503810.tif 001128
（第５式）
ここで、
【数１８１】
2021503810.tif 001129
；
【数１８２】
2021503810.tif 001130
：設定ＩＤまたはセルＩＤで初期化を行う疑似ランダム系列；
【数１８３】
2021503810.tif 001131
：番号
【数１８４】
2021503810.tif 001132
のタイムユニットで番号
【数１８５】
2021503810.tif 001133
のシンボルに対応する目標ＣＳパラメータ；
【数１８６】
2021503810.tif 001134
：前記初期ＣＳパラメータ；
【数１８７】
2021503810.tif 001135
：１つまたは複数のタイムユニットでのシンボル番号；
【数１８８】
2021503810.tif 001136
：タイムユニット番号；
【数１８９】
2021503810.tif 001137
：１つのＲＢに含まれるサブキャリア数；
【数１９０】
2021503810.tif 001138
：ＣＳ間隔；
【数１９１】
2021503810.tif 001139
：１つのスロットに含まれるシンボル数；
を含む、請求項１９に記載の端末。
【請求項２５】
前記の初期ＣＳパラメータ、および、少なくともシンボル番号に関連するランダム値に基づき、各シンボルに対応する目標ＣＳパラメータを決定することは、
第６式によって、各シンボルに対応する目標ＣＳパラメータ
【数１９２】
2021503810.tif 001140
を決定すること、
【数１９３】
2021503810.tif 001141
（第６式）
ここで、
【数１９４】
2021503810.tif 001142
；
【数１９５】
2021503810.tif 001143
：設定ＩＤまたはセルＩＤで初期化を行う疑似ランダム系列；
【数１９６】
2021503810.tif 001144
：番号
【数１９７】
2021503810.tif 001145
のシンボルに対応する目標ＣＳパラメータ；
【数１９８】
2021503810.tif 001146
：前記初期ＣＳパラメータ；
【数１９９】
2021503810.tif 001147
：１つまたは複数のタイムユニットでのシンボル番号；
【数２００】
2021503810.tif 001148
：１つのＲＢに含まれるサブキャリア数；
【数２０１】
2021503810.tif 001149
：ＣＳ間隔；
を含む、請求項１９に記載の端末。
【請求項２６】
初期ＣＳパラメータ、および、少なくともシンボル番号に関連するランダム値に基づき、各シンボルに対応する目標ＣＳパラメータを決定するための第２計算モジュールと、
前記目標ＣＳパラメータに従って、端末から送信されるＰＵＣＣＨを受信するための受信モジュールと、
を含む、ネットワーク側機器。
【請求項２７】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数２０２】
2021503810.tif 001150
を決定すること、
【数２０３】
2021503810.tif 001151
（第１式）
ここで、
【数２０４】
2021503810.tif 001152
；
【数２０５】
2021503810.tif 001153
：設定ＩＤまたはセルＩＤで初期化を行う疑似ランダム系列；
【数２０６】
2021503810.tif 001154
：番号
【数２０７】
2021503810.tif 001155
のタイムユニットで番号
【数２０８】
2021503810.tif 001156
のシンボルに対応する目標ＣＳパラメータ；
【数２０９】
2021503810.tif 001157
：前記初期ＣＳパラメータ；
【数２１０】
2021503810.tif 001158
：１つまたは複数のタイムユニットでのシンボル番号；
【数２１１】
2021503810.tif 001159
：タイムユニット番号；
【数２１２】
2021503810.tif 001160
：１つのＲＢに含まれるサブキャリア数；
【数２１３】
2021503810.tif 001161
：１つのスロットに含まれるシンボル数；
を含む、請求項２６に記載のネットワーク側機器。
【請求項２８】
前記の初期ＣＳパラメータ、および、少なくともシンボル番号に関連するランダム値に基づき、各シンボルに対応する目標ＣＳパラメータを決定することは、
第２式によって、各シンボルに対応する目標ＣＳパラメータ
【数２１４】
2021503810.tif 001162
を決定すること、
【数２１５】
2021503810.tif 001163
（第２式）
ここで、
【数２１６】
2021503810.tif 001164
；
【数２１７】
2021503810.tif 001165
：設定ＩＤまたはセルＩＤで初期化を行う疑似ランダム系列；
【数２１８】
2021503810.tif 001166
：番号
【数２１９】
2021503810.tif 001167
のシンボルに対応する目標ＣＳパラメータ；
【数２２０】
2021503810.tif 001168
：前記初期ＣＳパラメータ；
【数２２１】
2021503810.tif 001169
：１つまたは複数のタイムユニットでのシンボル番号；
【数２２２】
2021503810.tif 001170
：１つのＲＢに含まれるサブキャリア数；
を含む、請求項２６に記載のネットワーク側機器。
【請求項２９】
前記の初期ＣＳパラメータ、および、少なくともシンボル番号に関連するランダム値に基づき、各シンボルに対応する目標ＣＳパラメータを決定することは、
第３式によって、各シンボルに対応する目標ＣＳパラメータ
【数２２３】
2021503810.tif 001171
を決定すること、
【数２２４】
2021503810.tif 001172
（第３式）
ここで、
【数２２５】
2021503810.tif 001173
；
【数２２６】
2021503810.tif 001174
：設定ＩＤまたはセルＩＤで初期化を行う疑似ランダム系列；
【数２２７】
2021503810.tif 001175
：番号
【数２２８】
2021503810.tif 001176
のタイムユニットで番号
【数２２９】
2021503810.tif 001177
のシンボルに対応する目標ＣＳパラメータ；
【数２３０】
2021503810.tif 001178
：前記初期ＣＳパラメータ；
【数２３１】
2021503810.tif 001179
：１つまたは複数のタイムユニットでのシンボル番号；
【数２３２】
2021503810.tif 001180
：タイムユニット番号；
【数２３３】
2021503810.tif 001181
：１つのＲＢに含まれるサブキャリア数；
【数２３４】
2021503810.tif 001182
：ＣＳ間隔；
【数２３５】
2021503810.tif 001183
：１つのスロットに含まれるシンボル数；
を含む、請求項２６に記載のネットワーク側機器。
【請求項３０】
前記の初期ＣＳパラメータ、および、少なくともシンボル番号に関連するランダム値に基づき、各シンボルに対応する目標ＣＳパラメータを決定することは、
第４式によって、各シンボルに対応する目標ＣＳパラメータ
【数２３６】
2021503810.tif 001184
を決定すること、
【数２３７】
2021503810.tif 001185
（第４式）
ここで、
【数２３８】
2021503810.tif 001186
；
【数２３９】
2021503810.tif 001187
：設定ＩＤまたはセルＩＤで初期化を行う疑似ランダム系列；
【数２４０】
2021503810.tif 001188
：番号
【数２４１】
2021503810.tif 001189
のシンボルに対応する目標ＣＳパラメータ；
【数２４２】
2021503810.tif 001190
：前記初期ＣＳパラメータ；
【数２４３】
2021503810.tif 001191
：１つまたは複数のタイムユニットでのシンボル番号；
【数２４４】
2021503810.tif 001192
：１つのＲＢに含まれるサブキャリア数；
【数２４５】
2021503810.tif 001193
：ＣＳ間隔；
を含む、請求項２６に記載のネットワーク側機器。
【請求項３１】
前記の初期ＣＳパラメータ、および、少なくともシンボル番号に関連するランダム値に基づき、各シンボルに対応する目標ＣＳパラメータを決定することは、
第５式によって、各シンボルに対応する目標ＣＳパラメータ
【数２４６】
2021503810.tif 001194
を決定すること、
【数２４７】
2021503810.tif 001195
（第５式）
ここで、
【数２４８】
2021503810.tif 001196
；
【数２４９】
2021503810.tif 001197
：設定ＩＤまたはセルＩＤで初期化を行う疑似ランダム系列；
【数２５０】
2021503810.tif 001198
：番号
【数２５１】
2021503810.tif 001199
のタイムユニットで番号
【数２５２】
2021503810.tif 001200
のシンボルに対応する目標ＣＳパラメータ；
【数２５３】
2021503810.tif 001201
：前記初期ＣＳパラメータ；
【数２５４】
2021503810.tif 001202
：１つまたは複数のタイムユニットでのシンボル番号；
【数２５５】
2021503810.tif 001203
：タイムユニット番号；
【数２５６】
2021503810.tif 001204
：１つのＲＢに含まれるサブキャリア数；
【数２５７】
2021503810.tif 001205
：ＣＳ間隔；
【数２５８】
2021503810.tif 001206
：１つのスロットに含まれるシンボル数；
を含む、請求項２６に記載のネットワーク側機器。
【請求項３２】
前記の初期ＣＳパラメータ、および、少なくともシンボル番号に関連するランダム値に基づき、各シンボルに対応する目標ＣＳパラメータを決定することは、
第６式によって、各シンボルに対応する目標ＣＳパラメータ
【数２５９】
2021503810.tif 001207
を決定すること、
【数２６０】
2021503810.tif 001208
（第６式）
ここで、
【数２６１】
2021503810.tif 001209
；
【数２６２】
2021503810.tif 001210
：設定ＩＤまたはセルＩＤで初期化を行う疑似ランダム系列；
【数２６３】
2021503810.tif 001211
：番号
【数２６４】
2021503810.tif 001212
のシンボルに対応する目標ＣＳパラメータ；
【数２６５】
2021503810.tif 001213
：前記初期ＣＳパラメータ；
【数２６６】
2021503810.tif 001214
：１つまたは複数のタイムユニットでのシンボル番号；
【数２６７】
2021503810.tif 001215
：１つのＲＢに含まれるサブキャリア数；
【数２６８】
2021503810.tif 001216
：ＣＳ間隔；
を含む、請求項２６に記載のネットワーク側機器。
【請求項３３】
トランシーバと、メモリと、プロセッサと、前記メモリに記憶されて前記プロセッサで実行可能なプログラムを含む端末において、
前記プロセッサは、メモリからプログラムを読み取ることによって、初期ＣＳパラメータ、および、少なくともシンボル番号に関連するランダム値に基づき、各シンボルに対応する目標ＣＳパラメータを決定するプロセスを実行することに用いられ、
前記トランシーバは、前記目標ＣＳパラメータに従って、ＰＵＣＣＨを送信することに用いられ、
または、
前記トランシーバは、初期ＣＳパラメータ、および、少なくともシンボル番号に関連するランダム値に基づき、各シンボルに対応する目標ＣＳパラメータを決定するプロセスを実行することと、前記目標ＣＳパラメータに従って、ＰＵＣＣＨを送信することとに用いられる、端末。
【請求項３４】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数２６９】
2021503810.tif 001217
を決定すること、
【数２７０】
2021503810.tif 001218
（第１式）
ここで、
【数２７１】
2021503810.tif 001219
；
【数２７２】
2021503810.tif 001220
：設定ＩＤまたはセルＩＤで初期化を行う疑似ランダム系列；
【数２７３】
2021503810.tif 001221
：番号
【数２７４】
2021503810.tif 001222
のタイムユニットで番号
【数２７５】
2021503810.tif 001223
のシンボルに対応する目標ＣＳパラメータ；
【数２７６】
2021503810.tif 001224
：前記初期ＣＳパラメータ；
【数２７７】
2021503810.tif 001225
：１つまたは複数のタイムユニットでのシンボル番号；
【数２７８】
2021503810.tif 001226
：タイムユニット番号；
【数２７９】
2021503810.tif 001227
：１つのＲＢ（Ｒｅｓｏｕｒｃｅ  Ｂｌｏｃｋ）に含まれるサブキャリア数；
【数２８０】
2021503810.tif 001228
：１つのスロットに含まれるシンボル数；
を含む、請求項３３に記載の端末。
【請求項３５】
前記の初期ＣＳパラメータ、および、少なくともシンボル番号に関連するランダム値に基づき、各シンボルに対応する目標ＣＳパラメータを決定することは、
第２式によって、各シンボルに対応する目標ＣＳパラメータ
【数２８１】
2021503810.tif 001229
を決定すること、
【数２８２】
2021503810.tif 001230
（第２式）
ここで、
【数２８３】
2021503810.tif 001231
；
【数２８４】
2021503810.tif 001232
：設定ＩＤまたはセルＩＤで初期化を行う疑似ランダム系列；
【数２８５】
2021503810.tif 001233
：番号
【数２８６】
2021503810.tif 001234
のシンボルに対応する目標ＣＳパラメータ；
【数２８７】
2021503810.tif 001235
：前記初期ＣＳパラメータ；
【数２８８】
2021503810.tif 001236
：１つまたは複数のタイムユニットでのシンボル番号；
【数２８９】
2021503810.tif 001237
：１つのＲＢに含まれるサブキャリア数；
を含む、請求項３３に記載の端末。
【請求項３６】
前記の初期ＣＳパラメータ、および、少なくともシンボル番号に関連するランダム値に基づき、各シンボルに対応する目標ＣＳパラメータを決定することは、
第３式によって、各シンボルに対応する目標ＣＳパラメータ
【数２９０】
2021503810.tif 001238
を決定すること、
【数２９１】
2021503810.tif 001239
（第３式）
ここで、
【数２９２】
2021503810.tif 001240
；
【数２９３】
2021503810.tif 001241
：設定ＩＤまたはセルＩＤで初期化を行う疑似ランダム系列；
【数２９４】
2021503810.tif 001242
：番号
【数２９５】
2021503810.tif 001243
のタイムユニットで番号
【数２９６】
2021503810.tif 001244
のシンボルに対応する目標ＣＳパラメータ；
【数２９７】
2021503810.tif 001245
：前記初期ＣＳパラメータ；
【数２９８】
2021503810.tif 001246
：１つまたは複数のタイムユニットでのシンボル番号；
【数２９９】
2021503810.tif 001247
：タイムユニット番号；
【数３００】
2021503810.tif 001248
：１つのＲＢに含まれるサブキャリア数；
【数３０１】
2021503810.tif 001249
：ＣＳ間隔；
【数３０２】
2021503810.tif 001250
：１つのスロットに含まれるシンボル数；
を含む、請求項３３に記載の端末。
【請求項３７】
前記の初期ＣＳパラメータ、および、少なくともシンボル番号に関連するランダム値に基づき、各シンボルに対応する目標ＣＳパラメータを決定することは、
第４式によって、各シンボルに対応する目標ＣＳパラメータ
【数３０３】
2021503810.tif 001251
を決定すること、
【数３０４】
2021503810.tif 001252
（第４式）
ここで、
【数３０５】
2021503810.tif 001253
；
【数３０６】
2021503810.tif 001254
：設定ＩＤまたはセルＩＤで初期化を行う疑似ランダム系列；
【数３０７】
2021503810.tif 001255
：番号
【数３０８】
2021503810.tif 001256
のシンボルに対応する目標ＣＳパラメータ；
【数３０９】
2021503810.tif 001257
：前記初期ＣＳパラメータ；
【数３１０】
2021503810.tif 001258
：１つまたは複数のタイムユニットでのシンボル番号；
【数３１１】
2021503810.tif 001259
：１つのＲＢに含まれるサブキャリア数；
【数３１２】
2021503810.tif 001260
：ＣＳ間隔；
を含む、請求項３３に記載の端末。
【請求項３８】
前記の初期ＣＳパラメータ、および、少なくともシンボル番号に関連するランダム値に基づき、各シンボルに対応する目標ＣＳパラメータを決定することは、
第５式によって、各シンボルに対応する目標ＣＳパラメータ
【数３１３】
2021503810.tif 001261
を決定すること、
【数３１４】
2021503810.tif 001262
（第５式）
ここで、
【数３１５】
2021503810.tif 001263
；
【数３１６】
2021503810.tif 001264
：設定ＩＤまたはセルＩＤで初期化を行う疑似ランダム系列；
【数３１７】
2021503810.tif 001265
：番号
【数３１８】
2021503810.tif 001266
のタイムユニットで番号
【数３１９】
2021503810.tif 001267
のシンボルに対応する目標ＣＳパラメータ；
【数３２０】
2021503810.tif 001268
：前記初期ＣＳパラメータ；
【数３２１】
2021503810.tif 001269
：１つまたは複数のタイムユニットでのシンボル番号；
【数３２２】
2021503810.tif 001270
：タイムユニット番号；
【数３２３】
2021503810.tif 001271
：１つのＲＢに含まれるサブキャリア数；
【数３２４】
2021503810.tif 001272
：ＣＳ間隔；
【数３２５】
2021503810.tif 001273
：１つのスロットに含まれるシンボル数；
を含む、請求項３３に記載の端末。
【請求項３９】
前記の初期ＣＳパラメータ、および、少なくともシンボル番号に関連するランダム値に基づき、各シンボルに対応する目標ＣＳパラメータを決定することは、
第６式によって、各シンボルに対応する目標ＣＳパラメータ
【数３２６】
2021503810.tif 001274
を決定すること、
【数３２７】
2021503810.tif 001275
（第６式）
ここで、
【数３２８】
2021503810.tif 001276
；
【数３２９】
2021503810.tif 001277
：設定ＩＤまたはセルＩＤで初期化を行う疑似ランダム系列；
【数３３０】
2021503810.tif 001278
：番号
【数３３１】
2021503810.tif 001279
のシンボルに対応する目標ＣＳパラメータ；
【数３３２】
2021503810.tif 001280
：前記初期ＣＳパラメータ；
【数３３３】
2021503810.tif 001281
：１つまたは複数のタイムユニットでのシンボル番号；
【数３３４】
2021503810.tif 001282
：１つのＲＢに含まれるサブキャリア数；
【数３３５】
2021503810.tif 001283
：ＣＳ間隔；
を含む、請求項３３に記載の端末。
【請求項４０】
前記タイムユニットは、
１つまたは複数のスロット、
または、１４個のシンボル、
または、１つまたは複数のサブフレーム、
を含む、請求項３４〜３９のいずれか一項に記載の端末。
【請求項４１】
前記初期ＣＳパラメータは、
ネットワーク側機器からハイレイヤシグナリングによって前記端末に対し予め設定されたＣＳパラメータであり、
または、ネットワーク側機器からＤＣＩ（Ｄｏｗｎｌｉｎｋ  Ｃｏｎｔｒｏｌ  Ｉｎｆｏｒｍａｔｉｏｎ）によって指示されるＣＳパラメータであり、
前記ＤＣＩによって指示されるＣＳパラメータは、ハイレイヤシグナリングによって前記端末に対し予め設定された複数のｓｅｔのうちの１つのｓｅｔの中のＣＳパラメータである、請求項３３〜３９のいずれか一項に記載の端末。
【請求項４２】
トランシーバと、メモリと、プロセッサと、前記メモリに記憶されて前記プロセッサで実行可能なプログラムを含むネットワーク側機器において、
前記プロセッサは、メモリからプログラムを読み取ることによって、初期ＣＳパラメータ、および、少なくともシンボル番号に関連するランダム値に基づき、各シンボルに対応する目標ＣＳパラメータを決定するプロセスを実行することに用いられ、
前記トランシーバは、前記目標ＣＳパラメータに従って、端末から送信されるＰＵＣＣＨを受信することに用いられ、
または、
前記トランシーバは、初期ＣＳパラメータ、および、少なくともシンボル番号に関連するランダム値に基づき、各シンボルに対応する目標ＣＳパラメータを決定することと、前記目標ＣＳパラメータに従って、端末から送信されるＰＵＣＣＨを受信することに用いられる、ネットワーク側機器。
【請求項４３】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数３３６】
2021503810.tif 001284
を決定すること、
【数３３７】
2021503810.tif 001285
（第１式）
ここで、
【数３３８】
2021503810.tif 001286
；
【数３３９】
2021503810.tif 001287
：設定ＩＤまたはセルＩＤで初期化を行う疑似ランダム系列；
【数３４０】
2021503810.tif 001288
：番号
【数３４１】
2021503810.tif 001289
のタイムユニットで番号
【数３４２】
2021503810.tif 001290
のシンボルに対応する目標ＣＳパラメータ；
【数３４３】
2021503810.tif 001291
：前記初期ＣＳパラメータ；
【数３４４】
2021503810.tif 001292
：１つまたは複数のタイムユニットでのシンボル番号；
【数３４５】
2021503810.tif 001293
：タイムユニット番号；
【数３４６】
2021503810.tif 001294
：１つのＲＢに含まれるサブキャリア数；
【数３４７】
2021503810.tif 001295
：１つのスロットに含まれるシンボル数；
を含む、請求項４２に記載のネットワーク側機器。
【請求項４４】
前記の初期ＣＳパラメータ、および、少なくともシンボル番号に関連するランダム値に基づき、各シンボルに対応する目標ＣＳパラメータを決定することは、
第２式によって、各シンボルに対応する目標ＣＳパラメータ
【数３４８】
2021503810.tif 001296
を決定すること、
【数３４９】
2021503810.tif 001297
（第２式）
ここで、
【数３５０】
2021503810.tif 001298
；
【数３５１】
2021503810.tif 001299
：設定ＩＤまたはセルＩＤで初期化を行う疑似ランダム系列；
【数３５２】
2021503810.tif 001300
：番号
【数３５３】
2021503810.tif 001301
のシンボルに対応する目標ＣＳパラメータ；
【数３５４】
2021503810.tif 001302
：前記初期ＣＳパラメータ；
【数３５５】
2021503810.tif 001303
：１つまたは複数のタイムユニットでのシンボル番号；
【数３５６】
2021503810.tif 001304
：１つのＲＢに含まれるサブキャリア数；
を含む、請求項４２に記載のネットワーク側機器。
【請求項４５】
前記の初期ＣＳパラメータ、および、少なくともシンボル番号に関連するランダム値に基づき、各シンボルに対応する目標ＣＳパラメータを決定することは、
第３式によって、各シンボルに対応する目標ＣＳパラメータ
【数３５７】
2021503810.tif 001305
を決定すること、
【数３５８】
2021503810.tif 001306
（第３式）
ここで、
【数３５９】
2021503810.tif 001307
；
【数３６０】
2021503810.tif 001308
：設定ＩＤまたはセルＩＤで初期化を行う疑似ランダム系列；
【数３６１】
2021503810.tif 001309
：番号
【数３６２】
2021503810.tif 001310
のタイムユニットで番号
【数３６３】
2021503810.tif 001311
のシンボルに対応する目標ＣＳパラメータ；
【数３６４】
2021503810.tif 001312
：前記初期ＣＳパラメータ；
【数３６５】
2021503810.tif 001313
：１つまたは複数のタイムユニットでのシンボル番号；
【数３６６】
2021503810.tif 001314
：タイムユニット番号；
【数３６７】
2021503810.tif 001315
：１つのＲＢに含まれるサブキャリア数；
【数３６８】
2021503810.tif 001316
：ＣＳ間隔；
【数３６９】
2021503810.tif 001317
：１つのスロットに含まれるシンボル数；
を含む、請求項４２に記載のネットワーク側機器。
【請求項４６】
前記の初期ＣＳパラメータ、および、少なくともシンボル番号に関連するランダム値に基づき、各シンボルに対応する目標ＣＳパラメータを決定することは、
第４式によって、各シンボルに対応する目標ＣＳパラメータ
【数３７０】
2021503810.tif 001318
を決定すること、
【数３７１】
2021503810.tif 001319
（第４式）
ここで、
【数３７２】
2021503810.tif 001320
；
【数３７３】
2021503810.tif 001321
：設定ＩＤまたはセルＩＤで初期化を行う疑似ランダム系列；
【数３７４】
2021503810.tif 001322
：番号
【数３７５】
2021503810.tif 001323
のシンボルに対応する目標ＣＳパラメータ；
【数３７６】
2021503810.tif 001324
：前記初期ＣＳパラメータ；
【数３７７】
2021503810.tif 001325
：１つまたは複数のタイムユニットでのシンボル番号；
【数３７８】
2021503810.tif 001326
：１つのＲＢに含まれるサブキャリア数；
【数３７９】
2021503810.tif 001327
：ＣＳ間隔；
を含む、請求項４２に記載のネットワーク側機器。
【請求項４７】
前記の初期ＣＳパラメータ、および、少なくともシンボル番号に関連するランダム値に基づき、各シンボルに対応する目標ＣＳパラメータを決定することは、
第５式によって、各シンボルに対応する目標ＣＳパラメータ
【数３８０】
2021503810.tif 001328
を決定すること、
【数３８１】
2021503810.tif 001329
（第５式）
ここで、
【数３８２】
2021503810.tif 001330
；
【数３８３】
2021503810.tif 001331
：設定ＩＤまたはセルＩＤで初期化を行う疑似ランダム系列；
【数３８４】
2021503810.tif 001332
：番号
【数３８５】
2021503810.tif 001333
のタイムユニットで番号
【数３８６】
2021503810.tif 001334
のシンボルに対応する目標ＣＳパラメータ；
【数３８７】
2021503810.tif 001335
：前記初期ＣＳパラメータ；
【数３８８】
2021503810.tif 001336
：１つまたは複数のタイムユニットでのシンボル番号；
【数３８９】
2021503810.tif 001337
：タイムユニット番号；
【数３９０】
2021503810.tif 001338
：１つのＲＢに含まれるサブキャリア数；
【数３９１】
2021503810.tif 001339
：ＣＳ間隔；
【数３９２】
2021503810.tif 001340
：１つのスロットに含まれるシンボル数；
を含む、請求項４２に記載のネットワーク側機器。
【請求項４８】
前記の初期ＣＳパラメータ、および、少なくともシンボル番号に関連するランダム値に基づき、各シンボルに対応する目標ＣＳパラメータを決定することは、
第６式によって、各シンボルに対応する目標ＣＳパラメータ
【数３９３】
2021503810.tif 001341
を決定すること、
【数３９４】
2021503810.tif 001342
（第６式）
ここで、
【数３９５】
2021503810.tif 001343
；
【数３９６】
2021503810.tif 001344
：設定ＩＤまたはセルＩＤで初期化を行う疑似ランダム系列；
【数３９７】
2021503810.tif 001345
：番号
【数３９８】
2021503810.tif 001346
のシンボルに対応する目標ＣＳパラメータ；
【数３９９】
2021503810.tif 001347
：前記初期ＣＳパラメータ；
【数４００】
2021503810.tif 001348
：１つまたは複数のタイムユニットでのシンボル番号；
【数４０１】
2021503810.tif 001349
：１つのＲＢに含まれるサブキャリア数；
【数４０２】
2021503810.tif 001350
：ＣＳ間隔；
を含む、請求項４２に記載のネットワーク側機器。
【請求項４９】
前記タイムユニットは、
１つまたは複数のスロット、
または、１４個のシンボル、
または、１つまたは複数のサブフレーム、
を含む、請求項４３〜４８のいずれか一項に記載のネットワーク側機器。
【請求項５０】
前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、ハイレイヤシグナリングによって前記端末に対し予め設定された複数のｓｅｔのうちの１つのｓｅｔの中のＣＳパラメータである、請求項４２〜４８のいずれか一項に記載のネットワーク側機器。
【請求項５１】
プログラムが記憶されているコンピュータ読み取り可能な記憶媒体であって、
前記プログラムがプロセッサによって実行されると、請求項１〜１８のいずれか一項に記載のＰＵＣＣＨ伝送方法のことが実現される、コンピュータ読み取り可能な記憶媒体。
【発明の詳細な説明】
【技術分野】
【０００１】
本願は、２０１７年１１月１７日に中国特許庁に提出された中国特許出願２０１７１１１４６９１３．４の優先権を主張し、その全ての内容が援用によりここに取り込まれる。
本開示は、通信技術分野に係り、特にＰＵＣＣＨ伝送方法、端末およびネットワーク側機器に係る。
【背景技術】
【０００２】
移動通信サービスに対するニーズの発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（登録商標）（３ｒｄ  Ｇｅｎｅｒａｔｉｏｎ  Ｐａｒｔｎｅｒｓｈｉｐ  Ｐｒｏｊｅｃｔ）などの機構では、５Ｇ  ＮＲ（５  Ｇｅｎｅｒａｔｉｏｎ  Ｎｅｗ  ＲＡＴ）など、新規ＮＲ（Ｎｅｗ  ＲＡＴ）の研究を始めている。新規の無線通信システムでは、４〜１４個のシンボルを占用して伝送可能なＰＵＣＣＨ（Ｐｈｙｓｉｃａｌ  Ｕｐｌｉｎｋ  Ｃｏｎｔｒｏｌ  Ｃｈａｎｎｅｌ）を定義しており、当該ＰＵＣＣＨは、１つのｓｌｏｔで周波数ホッピング構造を使用しまたは使用しない。ＮＲ  ＰＵＣＣＨの１つのフォーマットは、１または２ビットの情報を搬送して伝送することに用いられる。当該フォーマットでは、伝送対象の情報をＢＰＳＫ（Ｂｉｎａｒｙ  Ｐｈａｓｅ  Ｓｈｉｆｔ  Ｋｅｙｉｎｇ）またはＱＰＳＫ（Ｑｕａｄｒａｔｕｒｅ  Ｐｈａｓｅ  Ｓｈｉｆｔ  Ｋｅｙｉｎｇ）で変調して１つの変調シンボルを得、当該変調シンボルを、ＰＵＣＣＨが伝送されるシンボルであって、ＵＣＩ（Ｕｐｌｉｎｋ  Ｃｏｎｔｒｏｌ  Ｉｎｆｏｒｍａｔｉｏｎ）を搬送する各シンボルで重複伝送する。各シンボルでは、当該変調シンボルは、ＣＳ（Ｃｙｃｌｉｃ  Ｓｈｉｆｔ）によるＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）ベーシック系列またはＣＧ（Ｃｏｍｐｕｔｅｒ  Ｇｅｎｅｒａｔｉｏｎ）のベーシック系列に付帯されて伝送される。シンボル同士は、ＯＣＣ（Ｏｒｔｈｏｇｏｎａｌ  Ｃｏｖｅｒ  Ｃｏｄｅ）系列でスペクトル拡散を行ってもよい。よって、比較的大きなマルチユーザ多重化容量がサポートされる。現在、各シンボルにおける異なる長さのＮＲ  ＰＵＣＣＨのＣＳ値の取得について、まだ明確な方法がない。各シンボルにおける異なる長さのＮＲ  ＰＵＣＣＨのＣＳ値を決定し、異なる長さのＮＲ  ＰＵＣＣＨ伝送を実現するためのＰＵＣＣＨ伝送方法の提案が急務になっている。
【発明の概要】
【発明が解決しようとする課題】
【０００３】
本開示の実施例は、ＰＵＣＣＨ伝送方法、端末およびネットワーク側機器を提供することによって、各シンボルにおける異なる長さのＮＲ  ＰＵＣＣＨのＣＳ値を決定する。
【課題を解決するための手段】
【０００４】
本開示の実施例は、端末に応用されるＰＵＣＣＨ伝送方法を提供する。
当該ＰＵＣＣＨ伝送方法において、
初期ＣＳパラメータ、および、少なくともシンボル番号に関連するランダム値に基づき、各シンボルに対応する目標ＣＳパラメータを決定することと、
前記目標ＣＳパラメータに従って、ＰＵＣＣＨを送信することと、
を含む。
【０００５】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数１】
2021503810.tif 000003
を決定すること、
【数２】
2021503810.tif 000004
（第１式）
ここで、
【数３】
2021503810.tif 000005
；
【数４】
2021503810.tif 000006
：設定ＩＤまたはセルＩＤで初期化を行う疑似ランダム系列；
【数５】
2021503810.tif 000007
：番号
【数６】
2021503810.tif 000008
のタイムユニットで番号
【数７】
2021503810.tif 000009
のシンボルに対応する目標ＣＳパラメータ；
【数８】
2021503810.tif 000010
：前記初期ＣＳパラメータ；
【数９】
2021503810.tif 000011
：１つまたは複数のタイムユニットでのシンボル番号；
【数１０】
2021503810.tif 000012
：タイムユニット番号；
【数１１】
2021503810.tif 000013
：１つのＲＢ（Ｒｅｓｏｕｒｃｅ  Ｂｌｏｃｋ）に含まれるサブキャリア数；
【数１２】
2021503810.tif 000014
：１つのスロットに含まれるシンボル数；
を含む。
【０００６】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数１３】
2021503810.tif 000015
を決定すること、
【数１４】
2021503810.tif 000016
（第２式）
ここで、
【数１５】
2021503810.tif 000017
；
【数１６】
2021503810.tif 000018
：設定ＩＤまたはセルＩＤで初期化を行う疑似ランダム系列；
【数１７】
2021503810.tif 000019
：番号
【数１８】
2021503810.tif 000020
のシンボルに対応する目標ＣＳパラメータ；
【数１９】
2021503810.tif 000021
：前記初期ＣＳパラメータ；
【数２０】
2021503810.tif 000022
：１つまたは複数のタイムユニットでのシンボル番号；
【数２１】
2021503810.tif 000023
：１つのＲＢに含まれるサブキャリア数；
を含む。
【０００７】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数２２】
2021503810.tif 000024
を決定すること、
【数２３】
2021503810.tif 000025
（第３式）
ここで、
【数２４】
2021503810.tif 000026
；
【数２５】
2021503810.tif 000027
：設定ＩＤまたはセルＩＤで初期化を行う疑似ランダム系列；
【数２６】
2021503810.tif 000028
：番号
【数２７】
2021503810.tif 000029
のタイムユニットで番号
【数２８】
2021503810.tif 000030
のシンボルに対応する目標ＣＳパラメータ；
【数２９】
2021503810.tif 000031
：前記初期ＣＳパラメータ；
【数３０】
2021503810.tif 000032
：１つまたは複数のタイムユニットでのシンボル番号；
【数３１】
2021503810.tif 000033
：タイムユニット番号；
【数３２】
2021503810.tif 000034
：１つのＲＢに含まれるサブキャリア数；
【数３３】
2021503810.tif 000035
：ＣＳ間隔；
【数３４】
2021503810.tif 000036
：１つのスロットに含まれるシンボル数；
を含む。
【０００８】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数３５】
2021503810.tif 000037
を決定すること、
【数３６】
2021503810.tif 000038
（第４式）
ここで、
【数３７】
2021503810.tif 000039
；
【数３８】
2021503810.tif 000040
：設定ＩＤまたはセルＩＤで初期化を行う疑似ランダム系列；
【数３９】
2021503810.tif 000041
：番号
【数４０】
2021503810.tif 000042
のシンボルに対応する目標ＣＳパラメータ；
【数４１】
2021503810.tif 000043
：前記初期ＣＳパラメータ；
【数４２】
2021503810.tif 000044
：１つまたは複数のタイムユニットでのシンボル番号；
【数４３】
2021503810.tif 000045
：１つのＲＢに含まれるサブキャリア数；
【数４４】
2021503810.tif 000046
：ＣＳ間隔；
を含む。
【０００９】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数４５】
2021503810.tif 000047
を決定すること、
【数４６】
2021503810.tif 000048
（第５式）
ここで、
【数４７】
2021503810.tif 000049
；
【数４８】
2021503810.tif 000050
：設定ＩＤまたはセルＩＤで初期化を行う疑似ランダム系列；
【数４９】
2021503810.tif 000051
：番号
【数５０】
2021503810.tif 000052
のタイムユニットで番号
【数５１】
2021503810.tif 000053
のシンボルに対応する目標ＣＳパラメータ；
【数５２】
2021503810.tif 000054
：前記初期ＣＳパラメータ；
【数５３】
2021503810.tif 000055
：１つまたは複数のタイムユニットでのシンボル番号；
【数５４】
2021503810.tif 000056
：タイムユニット番号；
【数５５】
2021503810.tif 000057
：１つのＲＢに含まれるサブキャリア数；
【数５６】
2021503810.tif 000058
：ＣＳ間隔；
【数５７】
2021503810.tif 000059
：１つのスロットに含まれるシンボル数；
を含む。
【００１０】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数５８】
2021503810.tif 000060
を決定すること、
【数５９】
2021503810.tif 000061
（第６式）
ここで、
【数６０】
2021503810.tif 000062
；
【数６１】
2021503810.tif 000063
：設定ＩＤまたはセルＩＤで初期化を行う疑似ランダム系列；
【数６２】
2021503810.tif 000064
：番号
【数６３】
2021503810.tif 000065
のシンボルに対応する目標ＣＳパラメータ；
【数６４】
2021503810.tif 000066
：前記初期ＣＳパラメータ；
【数６５】
2021503810.tif 000067
：１つまたは複数のタイムユニットでのシンボル番号；
【数６６】
2021503810.tif 000068
：１つのＲＢに含まれるサブキャリア数；
【数６７】
2021503810.tif 000069
：ＣＳ間隔；
を含む。
【００１１】
選択可能に、前記タイムユニットは、
１つまたは複数のスロット、
または、１４個のシンボル、
または、１つまたは複数のサブフレーム、
を含む。
【００１２】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩ（Ｄｏｗｎｌｉｎｋ  Ｃｏｎｔｒｏｌ  Ｉｎｆｏｒｍａｔｉｏｎ）によって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである。
【００１３】
本開示の実施例は、ネットワーク側機器に応用されるＰＵＣＣＨ伝送方法をさらに提供する。
当該ＰＵＣＣＨ伝送方法において、
初期ＣＳパラメータ、および、少なくともシンボル番号に関連するランダム値に基づき、各シンボルに対応する目標ＣＳパラメータを決定することと、
前記目標ＣＳパラメータに従って、端末から送信されるＰＵＣＣＨを受信することと、
を含む。
【００１４】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数６８】
2021503810.tif 000070
を決定すること、
【数６９】
2021503810.tif 000071
（第１式）
ここで、
【数７０】
2021503810.tif 000072
；
【数７１】
2021503810.tif 000073
：設定ＩＤまたはセルＩＤで初期化を行う疑似ランダム系列；
【数７２】
2021503810.tif 000074
：番号
【数７３】
2021503810.tif 000075
のタイムユニットで番号
【数７４】
2021503810.tif 000076
のシンボルに対応する目標ＣＳパラメータ；
【数７５】
2021503810.tif 000077
：前記初期ＣＳパラメータ；
【数７６】
2021503810.tif 000078
：１つまたは複数のタイムユニットでのシンボル番号；
【数７７】
2021503810.tif 000079
：タイムユニット番号；
【数７８】
2021503810.tif 000080
：１つのＲＢに含まれるサブキャリア数；
【数７９】
2021503810.tif 000081
：１つのスロットに含まれるシンボル数；
を含む。
【００１５】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数８０】
2021503810.tif 000082
を決定すること、
【数８１】
2021503810.tif 000083
（第２式）
ここで、
【数８２】
2021503810.tif 000084
；
【数８３】
2021503810.tif 000085
：設定ＩＤまたはセルＩＤで初期化を行う疑似ランダム系列；
【数８４】
2021503810.tif 000086
：番号
【数８５】
2021503810.tif 000087
のシンボルに対応する目標ＣＳパラメータ；
【数８６】
2021503810.tif 000088
：前記初期ＣＳパラメータ；
【数８７】
2021503810.tif 000089
：１つまたは複数のタイムユニットでのシンボル番号；
【数８８】
2021503810.tif 000090
：１つのＲＢに含まれるサブキャリア数；
を含む。
【００１６】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数８９】
2021503810.tif 000091
を決定すること、
【数９０】
2021503810.tif 000092
（第３式）
ここで、
【数９１】
2021503810.tif 000093
；
【数９２】
2021503810.tif 000094
：設定ＩＤまたはセルＩＤで初期化を行う疑似ランダム系列；
【数９３】
2021503810.tif 000095
：番号
【数９４】
2021503810.tif 000096
のタイムユニットで番号
【数９５】
2021503810.tif 000097
のシンボルに対応する目標ＣＳパラメータ；
【数９６】
2021503810.tif 000098
：前記初期ＣＳパラメータ；
【数９７】
2021503810.tif 000099
：１つまたは複数のタイムユニットでのシンボル番号；
【数９８】
2021503810.tif 000100
：タイムユニット番号；
【数９９】
2021503810.tif 000101
：１つのＲＢに含まれるサブキャリア数；
【数１００】
2021503810.tif 000102
：ＣＳ間隔；
【数１０１】
2021503810.tif 000103
：１つのスロットに含まれるシンボル数；
を含む。
【００１７】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数１０２】
2021503810.tif 000104
を決定すること、
【数１０３】
2021503810.tif 000105
（第４式）
ここで、
【数１０４】
2021503810.tif 000106
；
【数１０５】
2021503810.tif 000107
：設定ＩＤまたはセルＩＤで初期化を行う疑似ランダム系列；
【数１０６】
2021503810.tif 000108
：番号
【数１０７】
2021503810.tif 000109
のシンボルに対応する目標ＣＳパラメータ；
【数１０８】
2021503810.tif 000110
：前記初期ＣＳパラメータ；
【数１０９】
2021503810.tif 000111
：１つまたは複数のタイムユニットでのシンボル番号；
【数１１０】
2021503810.tif 000112
：１つのＲＢに含まれるサブキャリア数；
【数１１１】
2021503810.tif 000113
：ＣＳ間隔；
を含む。
【００１８】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数１１２】
2021503810.tif 000114
を決定すること、
【数１１３】
2021503810.tif 000115
（第５式）
ここで、
【数１１４】
2021503810.tif 000116
；
【数１１５】
2021503810.tif 000117
：設定ＩＤまたはセルＩＤで初期化を行う疑似ランダム系列；
【数１１６】
2021503810.tif 000118
：番号
【数１１７】
2021503810.tif 000119
のタイムユニットで番号
【数１１８】
2021503810.tif 000120
のシンボルに対応する目標ＣＳパラメータ；
【数１１９】
2021503810.tif 000121
：前記初期ＣＳパラメータ；
【数１２０】
2021503810.tif 000122
：１つまたは複数のタイムユニットでのシンボル番号；
【数１２１】
2021503810.tif 000123
：タイムユニット番号；
【数１２２】
2021503810.tif 000124
：１つのＲＢに含まれるサブキャリア数；
【数１２３】
2021503810.tif 000125
：ＣＳ間隔；
【数１２４】
2021503810.tif 000126
：１つのスロットに含まれるシンボル数；
を含む。
【００１９】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数１２５】
2021503810.tif 000127
を決定すること、
【数１２６】
2021503810.tif 000128
（第６式）
ここで、
【数１２７】
2021503810.tif 000129
；
【数１２８】
2021503810.tif 000130
：設定ＩＤまたはセルＩＤで初期化を行う疑似ランダム系列；
【数１２９】
2021503810.tif 000131
：番号
【数１３０】
2021503810.tif 000132
のシンボルに対応する目標ＣＳパラメータ；
【数１３１】
2021503810.tif 000133
：前記初期ＣＳパラメータ；
【数１３２】
2021503810.tif 000134
：１つまたは複数のタイムユニットでのシンボル番号；
【数１３３】
2021503810.tif 000135
：１つのＲＢに含まれるサブキャリア数；
【数１３４】
2021503810.tif 000136
：ＣＳ間隔；
を含む。
【００２０】
選択可能に、前記タイムユニットは、
１つまたは複数のスロット、
または、１４個のシンボル、
または、１つまたは複数のサブフレーム、
を含む。
【００２１】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである。
【００２２】
本開示の実施例は、端末をさらに提供する。
当該端末は、
初期ＣＳパラメータ、および、少なくともシンボル番号に関連するランダム値に基づき、各シンボルに対応する目標ＣＳパラメータを決定するための第１計算モジュールと、
前記目標ＣＳパラメータに従って、ＰＵＣＣＨを送信するための送信モジュールと、
を含む。
【００２３】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数１３５】
2021503810.tif 000137
を決定すること、
【数１３６】
2021503810.tif 000138
（第１式）
ここで、
【数１３７】
2021503810.tif 000139
；
【数１３８】
2021503810.tif 000140
：設定ＩＤまたはセルＩＤで初期化を行う疑似ランダム系列；
【数１３９】
2021503810.tif 000141
：番号
【数１４０】
2021503810.tif 000142
のタイムユニットで番号
【数１４１】
2021503810.tif 000143
のシンボルに対応する目標ＣＳパラメータ；
【数１４２】
2021503810.tif 000144
：前記初期ＣＳパラメータ；
【数１４３】
2021503810.tif 000145
：１つまたは複数のタイムユニットでのシンボル番号；
【数１４４】
2021503810.tif 000146
：タイムユニット番号；
【数１４５】
2021503810.tif 000147
：１つのＲＢ（Ｒｅｓｏｕｒｃｅ  Ｂｌｏｃｋ）に含まれるサブキャリア数；
【数１４６】
2021503810.tif 000148
：１つのスロットに含まれるシンボル数；
を含む。
【００２４】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数１４７】
2021503810.tif 000149
を決定すること、
【数１４８】
2021503810.tif 000150
（第２式）
ここで、
【数１４９】
2021503810.tif 000151
；
【数１５０】
2021503810.tif 000152
：設定ＩＤまたはセルＩＤで初期化を行う疑似ランダム系列；
【数１５１】
2021503810.tif 000153
：番号
【数１５２】
2021503810.tif 000154
のシンボルに対応する目標ＣＳパラメータ；
【数１５３】
2021503810.tif 000155
：前記初期ＣＳパラメータ；
【数１５４】
2021503810.tif 000156
：１つまたは複数のタイムユニットでのシンボル番号；
【数１５５】
2021503810.tif 000157
：１つのＲＢに含まれるサブキャリア数；
を含む。
【００２５】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数１５６】
2021503810.tif 000158
を決定すること、
【数１５７】
2021503810.tif 000159
（第３式）
ここで、
【数１５８】
2021503810.tif 000160
；
【数１５９】
2021503810.tif 000161
：設定ＩＤまたはセルＩＤで初期化を行う疑似ランダム系列；
【数１６０】
2021503810.tif 000162
：番号
【数１６１】
2021503810.tif 000163
のタイムユニットで番号
【数１６２】
2021503810.tif 000164
のシンボルに対応する目標ＣＳパラメータ；
【数１６３】
2021503810.tif 000165
：前記初期ＣＳパラメータ；
【数１６４】
2021503810.tif 000166
：１つまたは複数のタイムユニットでのシンボル番号；
【数１６５】
2021503810.tif 000167
：タイムユニット番号；
【数１６６】
2021503810.tif 000168
：１つのＲＢに含まれるサブキャリア数；
【数１６７】
2021503810.tif 000169
：ＣＳ間隔；
【数１６８】
2021503810.tif 000170
：１つのスロットに含まれるシンボル数；
を含む。
【００２６】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数１６９】
2021503810.tif 000171
を決定すること、
【数１７０】
2021503810.tif 000172
（第４式）
ここで、
【数１７１】
2021503810.tif 000173
；
【数１７２】
2021503810.tif 000174
：設定ＩＤまたはセルＩＤで初期化を行う疑似ランダム系列；
【数１７３】
2021503810.tif 000175
：番号
【数１７４】
2021503810.tif 000176
のシンボルに対応する目標ＣＳパラメータ；
【数１７５】
2021503810.tif 000177
：前記初期ＣＳパラメータ；
【数１７６】
2021503810.tif 000178
：１つまたは複数のタイムユニットでのシンボル番号；
【数１７７】
2021503810.tif 000179
：１つのＲＢに含まれるサブキャリア数；
【数１７８】
2021503810.tif 000180
：ＣＳ間隔；
を含む。
【００２７】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数１７９】
2021503810.tif 000181
を決定すること、
【数１８０】
2021503810.tif 000182
（第５式）
ここで、
【数１８１】
2021503810.tif 000183
；
【数１８２】
2021503810.tif 000184
：設定ＩＤまたはセルＩＤで初期化を行う疑似ランダム系列；
【数１８３】
2021503810.tif 000185
：番号
【数１８４】
2021503810.tif 000186
のタイムユニットで番号
【数１８５】
2021503810.tif 000187
のシンボルに対応する目標ＣＳパラメータ；
【数１８６】
2021503810.tif 000188
：前記初期ＣＳパラメータ；
【数１８７】
2021503810.tif 000189
：１つまたは複数のタイムユニットでのシンボル番号；
【数１８８】
2021503810.tif 000190
：タイムユニット番号；
【数１８９】
2021503810.tif 000191
：１つのＲＢに含まれるサブキャリア数；
【数１９０】
2021503810.tif 000192
：ＣＳ間隔；
【数１９１】
2021503810.tif 000193
：１つのスロットに含まれるシンボル数；
を含む。
【００２８】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数１９２】
2021503810.tif 000194
を決定すること、
【数１９３】
2021503810.tif 000195
（第６式）
ここで、
【数１９４】
2021503810.tif 000196
；
【数１９５】
2021503810.tif 000197
：設定ＩＤまたはセルＩＤで初期化を行う疑似ランダム系列；
【数１９６】
2021503810.tif 000198
：番号
【数１９７】
2021503810.tif 000199
のシンボルに対応する目標ＣＳパラメータ；
【数１９８】
2021503810.tif 000200
：前記初期ＣＳパラメータ；
【数１９９】
2021503810.tif 000201
：１つまたは複数のタイムユニットでのシンボル番号；
【数２００】
2021503810.tif 000202
：１つのＲＢに含まれるサブキャリア数；
【数２０１】
2021503810.tif 000203
：ＣＳ間隔；
を含む。
【００２９】
本開示の実施例は、ネットワーク側機器をさらに提供する。
初期ＣＳパラメータ、および、少なくともシンボル番号に関連するランダム値に基づき、各シンボルに対応する目標ＣＳパラメータを決定するための第２計算モジュールと、
前記目標ＣＳパラメータに従って、端末から送信されるＰＵＣＣＨを受信するための受信モジュールと、
を含む。
【００３０】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数２０２】
2021503810.tif 000204
を決定すること、
【数２０３】
2021503810.tif 000205
（第１式）
ここで、
【数２０４】
2021503810.tif 000206
；
【数２０５】
2021503810.tif 000207
：設定ＩＤまたはセルＩＤで初期化を行う疑似ランダム系列；
【数２０６】
2021503810.tif 000208
：番号
【数２０７】
2021503810.tif 000209
のタイムユニットで番号
【数２０８】
2021503810.tif 000210
のシンボルに対応する目標ＣＳパラメータ；
【数２０９】
2021503810.tif 000211
：前記初期ＣＳパラメータ；
【数２１０】
2021503810.tif 000212
：１つまたは複数のタイムユニットでのシンボル番号；
【数２１１】
2021503810.tif 000213
：タイムユニット番号；
【数２１２】
2021503810.tif 000214
：１つのＲＢに含まれるサブキャリア数；
【数２１３】
2021503810.tif 000215
：１つのスロットに含まれるシンボル数；
を含む。
【００３１】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数２１４】
2021503810.tif 000216
を決定すること、
【数２１５】
2021503810.tif 000217
（第２式）
ここで、
【数２１６】
2021503810.tif 000218
；
【数２１７】
2021503810.tif 000219
：設定ＩＤまたはセルＩＤで初期化を行う疑似ランダム系列；
【数２１８】
2021503810.tif 000220
：番号
【数２１９】
2021503810.tif 000221
のシンボルに対応する目標ＣＳパラメータ；
【数２２０】
2021503810.tif 000222
：前記初期ＣＳパラメータ；
【数２２１】
2021503810.tif 000223
：１つまたは複数のタイムユニットでのシンボル番号；
【数２２２】
2021503810.tif 000224
：１つのＲＢに含まれるサブキャリア数；
を含む。
【００３２】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数２２３】
2021503810.tif 000225
を決定すること、
【数２２４】
2021503810.tif 000226
（第３式）
ここで、
【数２２５】
2021503810.tif 000227
；
【数２２６】
2021503810.tif 000228
：設定ＩＤまたはセルＩＤで初期化を行う疑似ランダム系列；
【数２２７】
2021503810.tif 000229
：番号
【数２２８】
2021503810.tif 000230
のタイムユニットで番号
【数２２９】
2021503810.tif 000231
のシンボルに対応する目標ＣＳパラメータ；
【数２３０】
2021503810.tif 000232
：前記初期ＣＳパラメータ；
【数２３１】
2021503810.tif 000233
：１つまたは複数のタイムユニットでのシンボル番号；
【数２３２】
2021503810.tif 000234
：タイムユニット番号；
【数２３３】
2021503810.tif 000235
：１つのＲＢに含まれるサブキャリア数；
【数２３４】
2021503810.tif 000236
：ＣＳ間隔；
【数２３５】
2021503810.tif 000237
：１つのスロットに含まれるシンボル数；
を含む。
【００３３】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数２３６】
2021503810.tif 000238
を決定すること、
【数２３７】
2021503810.tif 000239
（第４式）
ここで、
【数２３８】
2021503810.tif 000240
；
【数２３９】
2021503810.tif 000241
：設定ＩＤまたはセルＩＤで初期化を行う疑似ランダム系列；
【数２４０】
2021503810.tif 000242
：番号
【数２４１】
2021503810.tif 000243
のシンボルに対応する目標ＣＳパラメータ；
【数２４２】
2021503810.tif 000244
：前記初期ＣＳパラメータ；
【数２４３】
2021503810.tif 000245
：１つまたは複数のタイムユニットでのシンボル番号；
【数２４４】
2021503810.tif 000246
：１つのＲＢに含まれるサブキャリア数；
【数２４５】
2021503810.tif 000247
：ＣＳ間隔；
を含む。
【００３４】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数２４６】
2021503810.tif 000248
を決定すること、
【数２４７】
2021503810.tif 000249
（第５式）
ここで、
【数２４８】
2021503810.tif 000250
；
【数２４９】
2021503810.tif 000251
：設定ＩＤまたはセルＩＤで初期化を行う疑似ランダム系列；
【数２５０】
2021503810.tif 000252
：番号
【数２５１】
2021503810.tif 000253
のタイムユニットで番号
【数２５２】
2021503810.tif 000254
のシンボルに対応する目標ＣＳパラメータ；
【数２５３】
2021503810.tif 000255
：前記初期ＣＳパラメータ；
【数２５４】
2021503810.tif 000256
：１つまたは複数のタイムユニットでのシンボル番号；
【数２５５】
2021503810.tif 000257
：タイムユニット番号；
【数２５６】
2021503810.tif 000258
：１つのＲＢに含まれるサブキャリア数；
【数２５７】
2021503810.tif 000259
：ＣＳ間隔；
【数２５８】
2021503810.tif 000260
：１つのスロットに含まれるシンボル数；
を含む。
【００３５】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数２５９】
2021503810.tif 000261
を決定すること、
【数２６０】
2021503810.tif 000262
（第６式）
ここで、
【数２６１】
2021503810.tif 000263
；
【数２６２】
2021503810.tif 000264
：設定ＩＤまたはセルＩＤで初期化を行う疑似ランダム系列；
【数２６３】
2021503810.tif 000265
：番号
【数２６４】
2021503810.tif 000266
のシンボルに対応する目標ＣＳパラメータ；
【数２６５】
2021503810.tif 000267
：前記初期ＣＳパラメータ；
【数２６６】
2021503810.tif 000268
：１つまたは複数のタイムユニットでのシンボル番号；
【数２６７】
2021503810.tif 000269
：１つのＲＢに含まれるサブキャリア数；
【数２６８】
2021503810.tif 000270
：ＣＳ間隔；
を含む。
【００３６】
本開示の実施例は、トランシーバと、メモリと、プロセッサと、前記メモリに記憶されて前記プロセッサで実行可能なプログラムを含む端末をさらに提供する。
当該端末において、
前記プロセッサは、メモリからプログラムを読み取ることによって、初期ＣＳパラメータ、および、少なくともシンボル番号に関連するランダム値に基づき、各シンボルに対応する目標ＣＳパラメータを決定するプロセスを実行することに用いられ、
前記トランシーバは、前記目標ＣＳパラメータに従って、ＰＵＣＣＨを送信することに用いられ、
または、
前記トランシーバは、初期ＣＳパラメータ、および、少なくともシンボル番号に関連するランダム値に基づき、各シンボルに対応する目標ＣＳパラメータを決定するプロセスを実行することと、前記目標ＣＳパラメータに従って、ＰＵＣＣＨを送信することとに用いられる。
【００３７】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数２６９】
2021503810.tif 000271
を決定すること、
【数２７０】
2021503810.tif 000272
（第１式）
ここで、
【数２７１】
2021503810.tif 000273
；
【数２７２】
2021503810.tif 000274
：設定ＩＤまたはセルＩＤで初期化を行う疑似ランダム系列；
【数２７３】
2021503810.tif 000275
：番号
【数２７４】
2021503810.tif 000276
のタイムユニットで番号
【数２７５】
2021503810.tif 000277
のシンボルに対応する目標ＣＳパラメータ；
【数２７６】
2021503810.tif 000278
：前記初期ＣＳパラメータ；
【数２７７】
2021503810.tif 000279
：１つまたは複数のタイムユニットでのシンボル番号；
【数２７８】
2021503810.tif 000280
：タイムユニット番号；
【数２７９】
2021503810.tif 000281
：１つのＲＢ（Ｒｅｓｏｕｒｃｅ  Ｂｌｏｃｋ）に含まれるサブキャリア数；
【数２８０】
2021503810.tif 000282
：１つのスロットに含まれるシンボル数；
を含む。
【００３８】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数２８１】
2021503810.tif 000283
を決定すること、
【数２８２】
2021503810.tif 000284
（第２式）
ここで、
【数２８３】
2021503810.tif 000285
；
【数２８４】
2021503810.tif 000286
：設定ＩＤまたはセルＩＤで初期化を行う疑似ランダム系列；
【数２８５】
2021503810.tif 000287
：番号
【数２８６】
2021503810.tif 000288
のシンボルに対応する目標ＣＳパラメータ；
【数２８７】
2021503810.tif 000289
：前記初期ＣＳパラメータ；
【数２８８】
2021503810.tif 000290
：１つまたは複数のタイムユニットでのシンボル番号；
【数２８９】
2021503810.tif 000291
：１つのＲＢに含まれるサブキャリア数；
を含む。
【００３９】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数２９０】
2021503810.tif 000292
を決定すること、
【数２９１】
2021503810.tif 000293
（第３式）
ここで、
【数２９２】
2021503810.tif 000294
；
【数２９３】
2021503810.tif 000295
：設定ＩＤまたはセルＩＤで初期化を行う疑似ランダム系列；
【数２９４】
2021503810.tif 000296
：番号
【数２９５】
2021503810.tif 000297
のタイムユニットで番号
【数２９６】
2021503810.tif 000298
のシンボルに対応する目標ＣＳパラメータ；
【数２９７】
2021503810.tif 000299
：前記初期ＣＳパラメータ；
【数２９８】
2021503810.tif 000300
：１つまたは複数のタイムユニットでのシンボル番号；
【数２９９】
2021503810.tif 000301
：タイムユニット番号；
【数３００】
2021503810.tif 000302
：１つのＲＢに含まれるサブキャリア数；
【数３０１】
2021503810.tif 000303
：ＣＳ間隔；
【数３０２】
2021503810.tif 000304
：１つのスロットに含まれるシンボル数；
を含む。
【００４０】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数３０３】
2021503810.tif 000305
を決定すること、
【数３０４】
2021503810.tif 000306
（第４式）
ここで、
【数３０５】
2021503810.tif 000307
；
【数３０６】
2021503810.tif 000308
：設定ＩＤまたはセルＩＤで初期化を行う疑似ランダム系列；
【数３０７】
2021503810.tif 000309
：番号
【数３０８】
2021503810.tif 000310
のシンボルに対応する目標ＣＳパラメータ；
【数３０９】
2021503810.tif 000311
：前記初期ＣＳパラメータ；
【数３１０】
2021503810.tif 000312
：１つまたは複数のタイムユニットでのシンボル番号；
【数３１１】
2021503810.tif 000313
：１つのＲＢに含まれるサブキャリア数；
【数３１２】
2021503810.tif 000314
：ＣＳ間隔；
を含む。
【００４１】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数３１３】
2021503810.tif 000315
を決定すること、
【数３１４】
2021503810.tif 000316
（第５式）
ここで、
【数３１５】
2021503810.tif 000317
；
【数３１６】
2021503810.tif 000318
：設定ＩＤまたはセルＩＤで初期化を行う疑似ランダム系列；
【数３１７】
2021503810.tif 000319
：番号
【数３１８】
2021503810.tif 000320
のタイムユニットで番号
【数３１９】
2021503810.tif 000321
のシンボルに対応する目標ＣＳパラメータ；
【数３２０】
2021503810.tif 000322
：前記初期ＣＳパラメータ；
【数３２１】
2021503810.tif 000323
：１つまたは複数のタイムユニットでのシンボル番号；
【数３２２】
2021503810.tif 000324
：タイムユニット番号；
【数３２３】
2021503810.tif 000325
：１つのＲＢに含まれるサブキャリア数；
【数３２４】
2021503810.tif 000326
：ＣＳ間隔；
【数３２５】
2021503810.tif 000327
：１つのスロットに含まれるシンボル数；
を含む。
【００４２】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数３２６】
2021503810.tif 000328
を決定すること、
【数３２７】
2021503810.tif 000329
（第６式）
ここで、
【数３２８】
2021503810.tif 000330
；
【数３２９】
2021503810.tif 000331
：設定ＩＤまたはセルＩＤで初期化を行う疑似ランダム系列；
【数３３０】
2021503810.tif 000332
：番号
【数３３１】
2021503810.tif 000333
のシンボルに対応する目標ＣＳパラメータ；
【数３３２】
2021503810.tif 000334
：前記初期ＣＳパラメータ；
【数３３３】
2021503810.tif 000335
：１つまたは複数のタイムユニットでのシンボル番号；
【数３３４】
2021503810.tif 000336
：１つのＲＢに含まれるサブキャリア数；
【数３３５】
2021503810.tif 000337
：ＣＳ間隔；
を含む。
【００４３】
選択可能に、前記タイムユニットは、
１つまたは複数のスロット、
または、１４個のシンボル、
または、１つまたは複数のサブフレーム、
を含む。
【００４４】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩ（Ｄｏｗｎｌｉｎｋ  Ｃｏｎｔｒｏｌ  Ｉｎｆｏｒｍａｔｉｏｎ）によって指示されるＣＳパラメータであり、
前記ＤＣＩによって指示されるＣＳパラメータは、ハイレイヤシグナリングによって前記端末に対し予め設定された複数のｓｅｔのうちの１つのｓｅｔの中のＣＳパラメータである。
【００４５】
本開示の実施例は、トランシーバと、メモリと、プロセッサと、前記メモリに記憶されて前記プロセッサで実行可能なプログラムを含むネットワーク側機器をさらに提供する。
当該ネットワーク側機器において、
前記プロセッサは、メモリからプログラムを読み取ることによって、初期ＣＳパラメータ、および、少なくともシンボル番号に関連するランダム値に基づき、各シンボルに対応する目標ＣＳパラメータを決定するプロセスを実行することに用いられ、
前記トランシーバは、前記目標ＣＳパラメータに従って、端末から送信されるＰＵＣＣＨを受信することに用いられ、
または、
前記トランシーバは、初期ＣＳパラメータ、および、少なくともシンボル番号に関連するランダム値に基づき、各シンボルに対応する目標ＣＳパラメータを決定することと、前記目標ＣＳパラメータに従って、端末から送信されるＰＵＣＣＨを受信することに用いられる。
【００４６】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数３３６】
2021503810.tif 000338
を決定すること、
【数３３７】
2021503810.tif 000339
（第１式）
ここで、
【数３３８】
2021503810.tif 000340
；
【数３３９】
2021503810.tif 000341
：設定ＩＤまたはセルＩＤで初期化を行う疑似ランダム系列；
【数３４０】
2021503810.tif 000342
：番号
【数３４１】
2021503810.tif 000343
のタイムユニットで番号
【数３４２】
2021503810.tif 000344
のシンボルに対応する目標ＣＳパラメータ；
【数３４３】
2021503810.tif 000345
：前記初期ＣＳパラメータ；
【数３４４】
2021503810.tif 000346
：１つまたは複数のタイムユニットでのシンボル番号；
【数３４５】
2021503810.tif 000347
：タイムユニット番号；
【数３４６】
2021503810.tif 000348
：１つのＲＢに含まれるサブキャリア数；
【数３４７】
2021503810.tif 000349
：１つのスロットに含まれるシンボル数；
を含む。
【００４７】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数３４８】
2021503810.tif 000350
を決定すること、
【数３４９】
2021503810.tif 000351
（第２式）
ここで、
【数３５０】
2021503810.tif 000352
；
【数３５１】
2021503810.tif 000353
：設定ＩＤまたはセルＩＤで初期化を行う疑似ランダム系列；
【数３５２】
2021503810.tif 000354
：番号
【数３５３】
2021503810.tif 000355
のシンボルに対応する目標ＣＳパラメータ；
【数３５４】
2021503810.tif 000356
：前記初期ＣＳパラメータ；
【数３５５】
2021503810.tif 000357
：１つまたは複数のタイムユニットでのシンボル番号；
【数３５６】
2021503810.tif 000358
：１つのＲＢに含まれるサブキャリア数；
を含む。
【００４８】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数３５７】
2021503810.tif 000359
を決定すること、
【数３５８】
2021503810.tif 000360
（第３式）
ここで、
【数３５９】
2021503810.tif 000361
；
【数３６０】
2021503810.tif 000362
：設定ＩＤまたはセルＩＤで初期化を行う疑似ランダム系列；
【数３６１】
2021503810.tif 000363
：番号
【数３６２】
2021503810.tif 000364
のタイムユニットで番号
【数３６３】
2021503810.tif 000365
のシンボルに対応する目標ＣＳパラメータ；
【数３６４】
2021503810.tif 000366
：前記初期ＣＳパラメータ；
【数３６５】
2021503810.tif 000367
：１つまたは複数のタイムユニットでのシンボル番号；
【数３６６】
2021503810.tif 000368
：タイムユニット番号；
【数３６７】
2021503810.tif 000369
：１つのＲＢに含まれるサブキャリア数；
【数３６８】
2021503810.tif 000370
：ＣＳ間隔；
【数３６９】
2021503810.tif 000371
：１つのスロットに含まれるシンボル数；
を含む。
【００４９】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数３７０】
2021503810.tif 000372
を決定すること、
【数３７１】
2021503810.tif 000373
（第４式）
ここで、
【数３７２】
2021503810.tif 000374
；
【数３７３】
2021503810.tif 000375
：設定ＩＤまたはセルＩＤで初期化を行う疑似ランダム系列；
【数３７４】
2021503810.tif 000376
：番号
【数３７５】
2021503810.tif 000377
のシンボルに対応する目標ＣＳパラメータ；
【数３７６】
2021503810.tif 000378
：前記初期ＣＳパラメータ；
【数３７７】
2021503810.tif 000379
：１つまたは複数のタイムユニットでのシンボル番号；
【数３７８】
2021503810.tif 000380
：１つのＲＢに含まれるサブキャリア数；
【数３７９】
2021503810.tif 000381
：ＣＳ間隔；
を含む。
【００５０】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数３８０】
2021503810.tif 000382
を決定すること、
【数３８１】
2021503810.tif 000383
（第５式）
ここで、
【数３８２】
2021503810.tif 000384
；
【数３８３】
2021503810.tif 000385
：設定ＩＤまたはセルＩＤで初期化を行う疑似ランダム系列；
【数３８４】
2021503810.tif 000386
：番号
【数３８５】
2021503810.tif 000387
のタイムユニットで番号
【数３８６】
2021503810.tif 000388
のシンボルに対応する目標ＣＳパラメータ；
【数３８７】
2021503810.tif 000389
：前記初期ＣＳパラメータ；
【数３８８】
2021503810.tif 000390
：１つまたは複数のタイムユニットでのシンボル番号；
【数３８９】
2021503810.tif 000391
：タイムユニット番号；
【数３９０】
2021503810.tif 000392
：１つのＲＢに含まれるサブキャリア数；
【数３９１】
2021503810.tif 000393
：ＣＳ間隔；
【数３９２】
2021503810.tif 000394
：１つのスロットに含まれるシンボル数；
を含む。
【００５１】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数３９３】
2021503810.tif 000395
を決定すること、
【数３９４】
2021503810.tif 000396
（第６式）
ここで、
【数３９５】
2021503810.tif 000397
；
【数３９６】
2021503810.tif 000398
：設定ＩＤまたはセルＩＤで初期化を行う疑似ランダム系列；
【数３９７】
2021503810.tif 000399
：番号
【数３９８】
2021503810.tif 000400
のシンボルに対応する目標ＣＳパラメータ；
【数３９９】
2021503810.tif 000401
：前記初期ＣＳパラメータ；
【数４００】
2021503810.tif 000402
：１つまたは複数のタイムユニットでのシンボル番号；
【数４０１】
2021503810.tif 000403
：１つのＲＢに含まれるサブキャリア数；
【数４０２】
2021503810.tif 000404
：ＣＳ間隔；
を含む。
【００５２】
選択可能に、前記タイムユニットは、
１つまたは複数のスロット、
または、１４個のシンボル、
または、１つまたは複数のサブフレーム、
を含む。
【００５３】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、ハイレイヤシグナリングによって前記端末に対し予め設定された複数のｓｅｔのうちの１つのｓｅｔの中のＣＳパラメータである。
【発明の効果】
【００５４】
このように、本開示の実施例において、初期ＣＳパラメータ、および、少なくともシンボル番号に関連するランダム値に基づき、各シンボルに対応する目標ＣＳパラメータを決定し、前記目標ＣＳパラメータに従ってＰＵＣＣＨを送信する。本開示の実施例において、初期ＣＳパラメータに加え、少なくとも各シンボル番号に関連するランダム値で計算するため、各シンボルに対応する目標ＣＳパラメータが異なることが得られ、さらに各シンボルにおける異なる長さのＮＲ  ＰＵＣＣＨのＣＳ値を決定することができる。よって、本開示の実施例において、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。
【図面の簡単な説明】
【００５５】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００５６】
【図１】本開示の実施例で応用可能なネットワーク構造図である。
【図２】本開示の実施例におけるＰＵＣＣＨ伝送方法のフローチャートである。
【図３】本開示の実施例における別のＰＵＣＣＨ伝送方法のフローチャートである。
【図４】本開示の実施例における端末の構造図である。
【図５】本開示の実施例におけるネットワーク側機器の構造図である。
【図６】本開示の実施例における別の端末の構造図である。
【図７】本開示の実施例における別のネットワーク側機器の構造図である。
【発明を実施するための形態】
【００５７】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、本開示の保護範囲に属するものである。
【００５８】
移動通信サービスに対するニーズの発展および変化に伴い、ＩＴＵや３ＧＰＰなどの機構では、５Ｇ  ＮＲなど、新規の無線通信システムの研究を始めている。新規の無線通信システムでは、新規のフレーム構造が定義され、異なるヌメロロジー（サブキャリア間隔などのパラメータを含む）がサポートされる。異なるヌメロロジーに対し、１つのサブフレームの長さは、常に１ｍｓに定義される。１つのサブフレームにＡ個のｓｌｏｔを含むが、異なるヌメロロジーに対応し、１つのサブフレームの長さが１ｍｓであることを満たすために、Ａの数は、異なる可能性がある。異なるヌメロロジーに対し、１つのｓｌｏｔに７または１４個のシンボル（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＤＦＴ−Ｓ−ＯＦＤＭ（ＤｉｒｅｃｔＦｏｕｒｉｅｒ  Ｔｒａｎｓｆｏｒｍｅｒ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、またはＰＤＭＡ（Ｐａｔｔｅｒｎ  Ｄｉｖｉｓｉｏｎ  Ｍｕｌｔｉｐｌｅ  Ａｃｃｅｓｓ）などのシンボル）が含まれる。１つのｓｌｏｔは、多種類のｓｌｏｔ構造／フォーマットを有し、異なるｓｌｏｔ構造／フォーマットは、異なるアップリンク／ダウンリンクリソース割り当てに対応する。たとえば、１つのｓｌｏｔの中のすべてのシンボルは、すべてダウンリンク伝送に用いられてもよく（ＤＬ  ｏｎｌｙ  ｓｌｏｔ）、すべてアップリンク伝送に用いられてもよく（ＵＬ  ｏｎｌｙ  ｓｌｏｔ）、さらに、一部がアップリンク伝送に用いられ、一部がダウンリンク伝送に用いられてもよい（ＤＬ＋ＵＬ  ｓｌｏｔ）。ｓｌｏｔ構造／フォーマットは、半静的方式でＲＲＣ（Ｒａｄｉｏ  Ｒｅｓｏｕｒｃｅ  Ｃｏｎｔｒｏｌ）シグナリングによって端末に通知されてもよいが、ｓｌｏｔ構造の動的変化を実現するために、動的方式で例えばＧｒｏｕｐ  Ｃｏｍｍｏｎ  ＰＤＣＣＨによって端末に通知されてもよい。
【００５９】
１つのｓｌｏｔに含まれるアップリンクシンボル数が変化する可能性があるため、５Ｇ  ＮＲシステムでは、長いＮＲ−ＰＵＣＣＨと短いＮＲ−ＰＵＣＣＨの２種類のＮＲ−ＰＵＣＣＨを定義している。長いＮＲ−ＰＵＣＣＨは、１つのｓｌｏｔで４〜１４個のシンボルを占用して伝送する。ＵＣＩとＲＳ（Ｒｅｆｅｒｅｎｃｅ  Ｓｉｇｎａｌ）は、ＴＤＭ（Ｔｉｍｅ  Ｄｉｖｉｓｉｏｎ  Ｍｕｌｔｉｐｌｅｘｉｎｇ）方式で伝送し、すなわちＵＣＩとＲＳは、異なるシンボルをそれぞれ占用して伝送する。アップリンク伝送性能を向上させるために、長いＮＲ−ＰＵＣＣＨは、占用する複数のシンボルで、周波数ホッピング構造を使用して周波数領域ダイバーシティゲインを取得するが、もちろん、周波数ホッピング構造を使用せずにマルチユーザ多重化容量を向上させてもよい。ＮＲ  ＰＵＣＣＨの１つのフォーマットは、１または２ビットの情報を搬送して伝送することに用いられる。当該フォーマットでは、伝送対象の情報をＢＰＳＫ／ＱＰＳＫで変調して１つの変調シンボルを得、当該変調シンボルを、ＰＵＣＣＨが伝送されるシンボルであって、ＵＣＩを搬送する各シンボルで重複伝送する。各シンボルでは、当該変調シンボルは、ＣＳによるＣＡＺＡＣベーシック系列またはＣＧのベーシック系列に付帯されて伝送される。シンボル同士は、時間領域直交系列でスペクトル拡散を行ってもよい。よって、比較的大きなマルチユーザ多重化容量がサポートされる。これに基づき、本開示の実施例は、ＰＵＣＣＨ伝送方法を提供し、各シンボルにおける異なる長さのＰＵＣＣＨのＣＳ値を決定し、異なる長さのＮＲ  ＰＵＣＣＨ伝送を実現する。
【００６０】
図１を参照する。図１は、本開示の実施例で応用可能なネットワーク構造図である。図１に示すように、ＵＥ（Ｕｓｅｒ  Ｅｑｕｉｐｍｅｎｔ）１１とネットワーク側機器１２が含まれる。ここで、端末１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、端末１１の具体的な種類を限定しない。ネットワーク側機器１２は、たとえば基地局である。基地局は、たとえば、ＬＴＥ（登録商標）  ｅＮＢ、５Ｇ  ＮＲ  ＮＢなどのマクロ基地局や、ｐｉｃｏ、ｆｅｍｔｏなどＬＰＮ（ｌｏｗ  ｐｏｗｅｒ  ｎｏｄｅ）のスモール基地局であり、またはＡＰ（ａｃｃｅｓｓ  ｐｏｉｎｔ）である。ネットワーク側機器１２は、ＣＵ（ｃｅｎｔｒａｌ  ｕｎｉｔ）およびその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器１２の具体的な種類を限定しない。
【００６１】
図２を参照する。図２は、本開示の実施例におけるＰＵＣＣＨ伝送方法のフローチャートである。図２に示すように、以下のステップを含む。
【００６２】
ステップ２０１において、初期ＣＳパラメータ、および、少なくともシンボル番号に関連するランダム値に基づき、各シンボルに対応する目標ＣＳパラメータを決定する。
【００６３】
本開示の実施例におけるＰＵＣＣＨ伝送方法は、主に端末に応用し、ＰＵＣＣＨが占用する各シンボルに対応するＣＳパラメータを決定することに用いられる。
【００６４】
当該ステップにおいて、上記各シンボルは、ＰＵＣＣＨ伝送に占用されるシンボルであり、ＯＦＤＭまたはＤＦＴ−Ｓ−ＯＦＤＭなどのアクセスシンボルである。上記初期ＣＳパラメータは、予めプロトコルによって取り決められてもよく、ネットワーク側から設定されてもよい。具体的な設定方式として、実際の必要性に応じて設定する。たとえば前記初期ＣＳパラメータは、ネットワーク側機器からハイレイヤシグナリングによって前記端末に対し予め設定されたＣＳパラメータであり、または、ネットワーク側機器からＤＣＩによって指示されるＣＳパラメータであり、前記ＤＣＩによって指示されるＣＳパラメータは、ハイレイヤシグナリングによって前記端末に対し予め設定された複数のｓｅｔのうちの１つのｓｅｔの中のＣＳパラメータである。
【００６５】
本実施例において、上記ランダム値は、シンボル番号に関連するランダム値のみを含んでもよく、シンボル番号に関連するランダム値およびその他のランダム値を含んでもよい。当該その他のランダム値に関連すべき目標パラメータは、実際の必要性に応じて設定される。たとえば、本実施例において、当該目標パラメータは、タイムユニット番号である。具体的に、タイムユニットの定義として、実際の必要性に応じて設定できる。たとえば、本実施例において、当該タイムユニットは、以下の３種類の方式で定義することができる。
方式１：タイムユニットは、１つまたは複数のスロットを含む。
方式２：タイムユニットは、１４個のシンボルを含む。
方式３：タイムユニットは、１つのサブフレームを含む。
【００６６】
本実施例において、上記ランダム値およびネットワーク側から設定される初期ＣＳパラメータに基づき、各シンボルに対応する目標ＣＳパラメータを決定することができる。
【００６７】
ステップ２０２において、前記目標ＣＳパラメータに従って、ＰＵＣＣＨを送信する。
【００６８】
当該ステップにおいて、各シンボルに対応する目標ＣＳパラメータを決定すると、当該目標ＣＳパラメータに基づいて、各シンボルに対応するＣＳ値を決定することができ、当該ＣＳ値からＰＵＣＣＨの伝送系列を取得し、ＰＵＣＣＨの送信を行う。
【００６９】
このように、本開示の実施例において、初期ＣＳパラメータ、および、少なくともシンボル番号に関連するランダム値に基づき、各シンボルに対応する目標ＣＳパラメータを決定し、前記目標ＣＳパラメータに従ってＰＵＣＣＨを送信する。本開示の実施例において、初期ＣＳパラメータに加え、少なくとも各シンボル番号に関連するランダム値で計算するため、各シンボルに対応する目標ＣＳパラメータが異なることが得られ、さらに各シンボルにおける異なる長さのＮＲ  ＰＵＣＣＨのＣＳ値を決定することができる。よって、本開示の実施例において、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。
【００７０】
さらに、ランダム値の設定方式によっては、各シンボルで目標ＣＳパラメータの決定方式が異なる。以下の実施例では、これについて詳細に説明する。
【００７１】
実施形態１：上記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数４０３】
2021503810.tif 000405
を決定することを含む。
【数４０４】
2021503810.tif 000406
（第１式）
ここで、
【数４０５】
2021503810.tif 000407
；
【数４０６】
2021503810.tif 000408
：設定ＩＤまたはセルＩＤで初期化を行う疑似ランダム系列；
【数４０７】
2021503810.tif 000409
：番号
【数４０８】
2021503810.tif 000410
のタイムユニットで番号
【数４０９】
2021503810.tif 000411
のシンボルに対応する目標ＣＳパラメータ；
【数４１０】
2021503810.tif 000412
：前記初期ＣＳパラメータ；
【数４１１】
2021503810.tif 000413
：１つまたは複数のタイムユニットでのシンボル番号；
【数４１２】
2021503810.tif 000414
：タイムユニット番号；
【数４１３】
2021503810.tif 000415
：１つのＲＢに含まれるサブキャリア数；
【数４１４】
2021503810.tif 000416
：１つのスロットに含まれるシンボル数である。
【００７２】
実施形態２：上記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数４１５】
2021503810.tif 000417
を決定することを含む。
【数４１６】
2021503810.tif 000418
（第２式）
ここで、
【数４１７】
2021503810.tif 000419
；
【数４１８】
2021503810.tif 000420
：設定ＩＤまたはセルＩＤで初期化を行う疑似ランダム系列；
【数４１９】
2021503810.tif 000421
：番号
【数４２０】
2021503810.tif 000422
のシンボルに対応する目標ＣＳパラメータ；
【数４２１】
2021503810.tif 000423
：前記初期ＣＳパラメータ；
【数４２２】
2021503810.tif 000424
：１つまたは複数のタイムユニットでのシンボル番号；
【数４２３】
2021503810.tif 000425
：１つのＲＢに含まれるサブキャリア数である。
【００７３】
実施形態３：上記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数４２４】
2021503810.tif 000426
を決定することを含む。
【数４２５】
2021503810.tif 000427
（第３式）
ここで、
【数４２６】
2021503810.tif 000428
；
【数４２７】
2021503810.tif 000429
：設定ＩＤまたはセルＩＤで初期化を行う疑似ランダム系列；
【数４２８】
2021503810.tif 000430
：番号
【数４２９】
2021503810.tif 000431
のタイムユニットで番号
【数４３０】
2021503810.tif 000432
のシンボルに対応する目標ＣＳパラメータ；
【数４３１】
2021503810.tif 000433
：前記初期ＣＳパラメータ；
【数４３２】
2021503810.tif 000434
：１つまたは複数のタイムユニットでのシンボル番号；
【数４３３】
2021503810.tif 000435
：タイムユニット番号；
【数４３４】
2021503810.tif 000436
：１つのＲＢに含まれるサブキャリア数；
【数４３５】
2021503810.tif 000437
：ＣＳ間隔；
【数４３６】
2021503810.tif 000438
：１つのスロットに含まれるシンボル数である。
【００７４】
実施形態４：上記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数４３７】
2021503810.tif 000439
を決定することを含む。
【数４３８】
2021503810.tif 000440
（第４式）
ここで、
【数４３９】
2021503810.tif 000441
；
【数４４０】
2021503810.tif 000442
：設定ＩＤまたはセルＩＤで初期化を行う疑似ランダム系列；
【数４４１】
2021503810.tif 000443
：番号
【数４４２】
2021503810.tif 000444
のシンボルに対応する目標ＣＳパラメータ；
【数４４３】
2021503810.tif 000445
：前記初期ＣＳパラメータ；
【数４４４】
2021503810.tif 000446
：１つまたは複数のタイムユニットでのシンボル番号；
【数４４５】
2021503810.tif 000447
：１つのＲＢに含まれるサブキャリア数；
【数４４６】
2021503810.tif 000448
：ＣＳ間隔である。
【００７５】
実施形態５：上記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数４４７】
2021503810.tif 000449
を決定することを含む。
【数４４８】
2021503810.tif 000450
（第５式）
ここで、
【数４４９】
2021503810.tif 000451
；
【数４５０】
2021503810.tif 000452
：設定ＩＤまたはセルＩＤで初期化を行う疑似ランダム系列；
【数４５１】
2021503810.tif 000453
：番号
【数４５２】
2021503810.tif 000454
のタイムユニットで番号
【数４５３】
2021503810.tif 000455
のシンボルに対応する目標ＣＳパラメータ；
【数４５４】
2021503810.tif 000456
：前記初期ＣＳパラメータ；
【数４５５】
2021503810.tif 000457
：１つまたは複数のタイムユニットでのシンボル番号；
【数４５６】
2021503810.tif 000458
：タイムユニット番号；
【数４５７】
2021503810.tif 000459
：１つのＲＢに含まれるサブキャリア数；
【数４５８】
2021503810.tif 000460
：ＣＳ間隔；
【数４５９】
2021503810.tif 000461
：１つのスロットに含まれるシンボル数である。
【００７６】
実施形態６：上記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数４６０】
2021503810.tif 000462
を決定することを含む。
【数４６１】
2021503810.tif 000463
（第６式）
ここで、
【数４６２】
2021503810.tif 000464
；
【数４６３】
2021503810.tif 000465
：設定ＩＤまたはセルＩＤで初期化を行う疑似ランダム系列；
【数４６４】
2021503810.tif 000466
：番号
【数４６５】
2021503810.tif 000467
のシンボルに対応する目標ＣＳパラメータ；
【数４６６】
2021503810.tif 000468
：前記初期ＣＳパラメータ；
【数４６７】
2021503810.tif 000469
：１つまたは複数のタイムユニットでのシンボル番号；
【数４６８】
2021503810.tif 000470
：１つのＲＢに含まれるサブキャリア数；
【数４６９】
2021503810.tif 000471
：ＣＳ間隔である。
【００７７】
１種の実施例において、
【数４７０】
2021503810.tif 000472
は、１つのタイムユニットでのシンボル番号である（すなわち、ＮＲ−ＰＵＣＣＨが当該タイムユニットですべてのシンボルを占用するか、一部のシンボルを占用するかにかかわらず、前記シンボル番号は、ＮＲ−ＰＵＣＣＨに占用される一つ目のシンボルからの番号ではなく、当該タイムユニットで一つ目のシンボルから番号を付けられる。このように、すべてのＮＲ−ＰＵＣＣＨについて、１つのタイムユニットで同一のシンボルでのランダム値が同じであることを保証でき、異なるＮＲ−ＰＵＣＣＨの開始位置が異なることに起因して、ＮＲ−ＰＵＣＣＨに占用されるシンボルで番号を付ける際に、１つのタイムユニットで同一のシンボル位置として、ＮＲ−ＰＵＣＣＨでの相対位置の相違によって異なるランダム値を得られることを避ける。ＮＲ−ＰＵＣＣＨの開始ＣＳが異なると、ランダム値も異なり、当該シンボルで同一のＣＳ値を得る可能性があり、干渉が生じる）。
【００７８】
１種の実施例において、
【数４７１】
2021503810.tif 000473
＝１２。上記式では、
【数４７２】
2021503810.tif 000474
を用いてもよく、直接１２に置き換えれてもよい。
【００７９】
上記実施形態１〜６に対し、以下、２つの異なる実施例を通じて、その実現プロセスを詳細に説明する。
【００８０】
具体的に、一実施例において、上記ランダム値は、シンボル番号に関連するランダム値およびタイムユニット番号に関連するランダム値を含む。この場合、各シンボルに対応するＣＳ値を、
【数４７３】
2021503810.tif 000475
で算出することができる。
【００８１】
当該実施例において、疑似ランダム系列
【数４７４】
2021503810.tif 000476
としてＩＤ＝３で初期化を行うとし、ｎｓ＝０とし、１つのタイムユニットが１つのスロットであり、１４個のシンボルを含み、すなわちシンボル番号
【数４７５】
2021503810.tif 000477
が０〜１３であると、
【数４７６】
2021503810.tif 000478
によって、スロットｎｓ＝０で各シンボルでの
【数４７７】
2021503810.tif 000479
値は、順に［６５，１０６，８９，１９１，６８，７３，６３，４８，１８，８４，２５２，２３０，１４９，２３６］であることが得られる。ＰＵＣＣＨが７個のシンボルを占用し、シンボル番号
【数４７８】
2021503810.tif 000480
＝７〜１３のシンボルで、
【数４７９】
2021503810.tif 000481
＝２とする。
【００８２】
上記実施形態１の場合、
【数４８０】
2021503810.tif 000482
で
【数４８１】
2021503810.tif 000483
を設定するとし、すなわち、
【数４８２】
2021503810.tif 000484
＝２の場合、
【数４８３】
2021503810.tif 000485
は、［０、２、４、６、８、１０］または［１、３、５、７、９、１１］からしか選択されない。たとえば、基地局からシグナリングによってＵＥ１に対し
【数４８４】
2021503810.tif 000486
＝１と設定し、ＵＥ２に対し
【数４８５】
2021503810.tif 000487
＝３と設定する。
【数４８６】
2021503810.tif 000488
に基づき、ＵＥ１の
【数４８７】
2021503810.tif 000489
から、シンボル番号
【数４８８】
2021503810.tif 000490
＝０〜１３のシンボルにそれぞれ対応するＣＳパラメータは、［６，１１，６，０，９，２，４，１，７，１，１，３，６，９］であると算出する。そのうちの
【数４８９】
2021503810.tif 000491
＝７〜１３に対応するＣＳパラメータを取り、または、直接
【数４９０】
2021503810.tif 000492
＝７〜１３に基づき、ＰＵＣＣＨが占用するシンボルに対応するＣＳパラメータ［１，７，１，１，３，６，９］を算出し、さらに
【数４９１】
2021503810.tif 000493
に基づき、ＵＥ１のＰＵＣＣＨが占用する各シンボルのＣＳ値を得る。ＵＥ１は、当該ＣＳ値に従って、伝送されるＰＵＣＣＨに占用されるシンボルでの伝送系列を取得して伝送する。同様に、ＵＥ２の
【数４９２】
2021503810.tif 000494
から、シンボル番号
【数４９３】
2021503810.tif 000495
＝０〜１３のシンボルにそれぞれ対応するＣＳパラメータは、［８，１，８，２，１１，４，６，３，９，３，３，５，６，１１］であると算出する。そのうちの
【数４９４】
2021503810.tif 000496
＝７〜１３に対応するＣＳパラメータを取り、または、直接
【数４９５】
2021503810.tif 000497
＝７〜１３に基づき、ＰＵＣＣＨが占用するシンボルに対応するＣＳパラメータ［３，９，３，３，５，６，１１］を算出し、さらに
【数４９６】
2021503810.tif 000498
に基づき、ＵＥ２のＰＵＣＣＨが占用する各シンボルのＣＳ値を得る。ＵＥ２は、当該ＣＳ値に従って、伝送されるＰＵＣＣＨに占用されるシンボルでの伝送系列を取得して伝送する。
【００８３】
上記実施形態３の場合、
【数４９７】
2021503810.tif 000499
で
【数４９８】
2021503810.tif 000500
を設定するとし、すなわち、
【数４９９】
2021503810.tif 000501
＝２の場合、
【数５００】
2021503810.tif 000502
は、［０、２、４、６、８、１０］または［１、３、５、７、９、１１］の２つのグループからしか選択されない。１つのＵＥに対し１つのグループの中の１つのパラメータを選択したのであれば、当該ＵＥとは同じリソースで多重化伝送するもう一つのＵＥは、同様に同一グループから選択する必要がある。たとえば、基地局からシグナリングによってＵＥ１に対し
【数５０１】
2021503810.tif 000503
＝１と設定し、ＵＥ２に対し
【数５０２】
2021503810.tif 000504
＝３と設定する。
【数５０３】
2021503810.tif 000505
に基づき、各シンボルでのＣＳパラメータを計算する。まず、
【数５０４】
2021503810.tif 000506
に基づき、設定された
【数５０５】
2021503810.tif 000507
を、０〜１２／
【数５０６】
2021503810.tif 000508
、すなわち０〜５の値に正規化し、それから、正規化されたＣＳパラメータに基づいてＣＳランダム化を行うことに相当する。すなわち、ＵＥ１の
【数５０７】
2021503810.tif 000509
から、シンボル番号
【数５０８】
2021503810.tif 000510
＝０〜１３のシンボルにそれぞれ対応するＣＳパラメータは、［５，１０，５，１１，８，１，３，０，６，０，０，２，５，８］であると算出する。そのうちの
【数５０９】
2021503810.tif 000511
＝７〜１３に対応するＣＳパラメータを取り、または、直接
【数５１０】
2021503810.tif 000512
＝７〜１３に基づき、ＰＵＣＣＨが占用するシンボルに対応するＣＳパラメータ［０，６，０，０，２，５，８］を算出し、さらに
【数５１１】
2021503810.tif 000513
に基づき、ＵＥ１のＰＵＣＣＨが占用する各シンボルのＣＳ値を得る。ＵＥ１は、当該ＣＳ値に従って、伝送されるＰＵＣＣＨに占用されるシンボルでの伝送系列を取得して伝送する。同様に、ＵＥ２の
【数５１２】
2021503810.tif 000514
から、シンボル番号
【数５１３】
2021503810.tif 000515
＝０〜１３のシンボルにそれぞれ対応するＣＳパラメータは、［７，０，７，１，１０，３，５，２，８，２，２，４，７，１０］であると算出する。そのうちの
【数５１４】
2021503810.tif 000516
＝７〜１３に対応するＣＳパラメータを取り、または、直接
【数５１５】
2021503810.tif 000517
＝７〜１３に基づき、ＰＵＣＣＨが占用するシンボルに対応するＣＳパラメータ［２，８，２，２，４，７，１０］を算出し、さらに
【数５１６】
2021503810.tif 000518
に基づき、ＵＥ２のＰＵＣＣＨが占用する各シンボルのＣＳ値を得る。ＵＥ２は、当該ＣＳ値に従って、伝送されるＰＵＣＣＨに占用されるシンボルでの伝送系列を取得して伝送する。
【００８４】
上記実施形態５の場合、設定された
【数５１７】
2021503810.tif 000519
は、
【数５１８】
2021503810.tif 000520
で正規化した値であるとする。すなわち、
【数５１９】
2021503810.tif 000521
＝１の場合、ｇＮＢから設定される
【数５２０】
2021503810.tif 000522
は、０〜１１であり、
【数５２１】
2021503810.tif 000523
＝２の場合、ｇＮＢから設定される
【数５２２】
2021503810.tif 000524
は、０〜５である。このような指示の利点として、
【数５２３】
2021503810.tif 000525
の大きさに応じて
【数５２４】
2021503810.tif 000526
の指示範囲を調整し、さらに必要な指示オーバヘッドを調整することができる。たとえば、０〜１１の範囲は、４ビットで指示する必要があり、０〜５の範囲は、３ビットで指示する必要があり、このように類推する。この場合、正規化された
【数５２５】
2021503810.tif 000527
に基づき、１つのシンボルで｛０，２，４，６，８，１０｝それとも｛１，３，５，７，９，１１｝から選択して使用するかは、
【数５２６】
2021503810.tif 000528
の奇偶性によって決められる。たとえば、基地局からシグナリングによってＵＥ１に対し
【数５２７】
2021503810.tif 000529
＝１と設定し、ＵＥ２に対し
【数５２８】
2021503810.tif 000530
＝３と設定する。
【数５２９】
2021503810.tif 000531
に基づき、ＵＥ１の
【数５３０】
2021503810.tif 000532
から、シンボル番号
【数５３１】
2021503810.tif 000533
＝０〜１３のシンボルにそれぞれ対応するＣＳパラメータは、［７，０，７，１，１０，３，５，２，８，２，２，４，７，１０］であると算出する。そのうちの
【数５３２】
2021503810.tif 000534
＝７〜１３に対応するＣＳパラメータを取り、または、直接
【数５３３】
2021503810.tif 000535
＝７〜１３に基づき、ＰＵＣＣＨが占用するシンボルに対応するＣＳパラメータ［２，８，２，２，４，７，１０］を算出し、さらに
【数５３４】
2021503810.tif 000536
に基づき、ＵＥ１のＰＵＣＣＨが占用する各シンボルのＣＳ値を得る。ＵＥ１は、当該ＣＳ値に従って、伝送されるＰＵＣＣＨに占用されるシンボルでの伝送系列を取得して伝送する。同様に、ＵＥ２の
【数５３５】
2021503810.tif 000537
から、シンボル番号
【数５３６】
2021503810.tif 000538
＝０〜１３のシンボルにそれぞれ対応するＣＳパラメータは、［１１，４，１１，５，２，７，９，６，０，６，６，８，１１，２］であると算出する。そのうちの
【数５３７】
2021503810.tif 000539
＝７〜１３に対応するＣＳパラメータを取り、または、直接
【数５３８】
2021503810.tif 000540
＝７〜１３に基づき、ＰＵＣＣＨが占用するシンボルに対応するＣＳパラメータ［６，０，６，６，８，１１，２］を算出し、さらに
【数５３９】
2021503810.tif 000541
に基づき、ＵＥ２のＰＵＣＣＨが占用する各シンボルのＣＳ値を得る。ＵＥ２は、当該ＣＳ値に従って、伝送されるＰＵＣＣＨに占用されるシンボルでの伝送系列を取得して伝送する。
【００８５】
本実施例において、上記各実施形態によって、ＵＥ１とＵＥ２は、同じシンボルでＰＵＣＣＨを伝送するが、同一シンボルでのＣＳ値が異なるため、基地局は、同じリソースで、異なるＣＳ値でＵＥ１とＵＥ２を区別することができ、同一ＵＥの異なるシンボルでのＣＳランダム化によって、時間的に継続する干渉に抵抗する目的を実現することができる。また、異なるセルの間では、同一シンボルでの
【数５４０】
2021503810.tif 000542
値が異なり、異なるセルの同一シンボルでのＣＳ値が異なることを可能にし、異なるセル間の干渉ランダム化の目的を実現することができる。ここで、ｎｓとＩＤのうちいずれが変更すると、上記実施例で算出した
【数５４１】
2021503810.tif 000543
値もそれに応じて変更し、各シンボルでのＣＳ値もそれに応じて変更する。
【００８６】
別の実施例において、上記ランダム値は、シンボル番号に関連するランダム値のみを含む。この場合、各シンボルに対応するＣＳ値を、
【数５４２】
2021503810.tif 000544
で算出することができる。
【００８７】
当該実施例において、疑似ランダム系列
【数５４３】
2021503810.tif 000545
としてＩＤ＝３で初期化を行うとし、１つのタイムユニットが１つのスロットであり、１４個のシンボルを含み、すなわちシンボル番号
【数５４４】
2021503810.tif 000546
が０〜１３であると、
【数５４５】
2021503810.tif 000547
によって、１つのスロットで各シンボルでの
【数５４６】
2021503810.tif 000548
値は、順に｛６５，１０６，８９，１９１，６８，７３，６３，４８，１８，８４，２５２，２３０，１４９，２３６｝であることが得られる。同一セルでは、各スロットは、同一グループの
【数５４７】
2021503810.tif 000549
値に対応する。ＰＵＣＣＨが７個のシンボルを占用し、シンボル番号
【数５４８】
2021503810.tif 000550
＝７〜１３のシンボルで、
【数５４９】
2021503810.tif 000551
＝２とする。
【００８８】
上記実施形態２の場合、
【数５５０】
2021503810.tif 000552
で
【数５５１】
2021503810.tif 000553
を設定するとし、すなわち、
【数５５２】
2021503810.tif 000554
＝２の場合、
【数５５３】
2021503810.tif 000555
は、［０、２、４、６、８、１０］または［１、３、５、７、９、１１］からしか選択されない。たとえば、基地局からシグナリングによってＵＥ１に対し
【数５５４】
2021503810.tif 000556
＝１と設定し、ＵＥ２に対し
【数５５５】
2021503810.tif 000557
＝３と設定する。
【数５５６】
2021503810.tif 000558
に基づき、ＵＥ１の
【数５５７】
2021503810.tif 000559
から、シンボル番号
【数５５８】
2021503810.tif 000560
＝０〜１３のシンボルにそれぞれ対応するＣＳパラメータは、［６，１１，６，０，９，２，４，１，７，１，１，３，６，９］であると算出する。そのうちの
【数５５９】
2021503810.tif 000561
＝７〜１３に対応するＣＳパラメータを取り、または、直接
【数５６０】
2021503810.tif 000562
＝７〜１３に基づき、ＰＵＣＣＨが占用するシンボルに対応するＣＳパラメータ［１，７，１，１，３，６，９］を算出し、さらに
【数５６１】
2021503810.tif 000563
に基づき、ＵＥ１のＰＵＣＣＨが占用する各シンボルのＣＳ値を得る。ＵＥ１は、当該ＣＳ値に従って、伝送されるＰＵＣＣＨに占用されるシンボルでの伝送系列を取得して伝送する。同様に、ＵＥ２の
【数５６２】
2021503810.tif 000564
から、シンボル番号
【数５６３】
2021503810.tif 000565
＝０〜１３のシンボルにそれぞれ対応するＣＳパラメータは、［８，１，８，２，１１，４，６，３，９，３，３，５，６，１１］であると算出する。そのうちの
【数５６４】
2021503810.tif 000566
＝７〜１３に対応するＣＳパラメータを取り、または、直接
【数５６５】
2021503810.tif 000567
＝７〜１３に基づき、ＰＵＣＣＨが占用するシンボルに対応するＣＳパラメータ［３，９，３，３，５，６，１１］を算出し、さらに
【数５６６】
2021503810.tif 000568
に基づき、ＵＥ２のＰＵＣＣＨが占用する各シンボルのＣＳ値を得る。ＵＥ２は、当該ＣＳ値に従って、伝送されるＰＵＣＣＨに占用されるシンボルでの伝送系列を取得して伝送する。
【００８９】
上記実施形態４の場合、
【数５６７】
2021503810.tif 000569
で
【数５６８】
2021503810.tif 000570
を設定するとし、すなわち、
【数５６９】
2021503810.tif 000571
＝２の場合、
【数５７０】
2021503810.tif 000572
は、［１、３、５、７、９、１１］または［０、２、４、６、８、１０］の２つのグループからしか選択されない。１つのＵＥに対し１つのグループの中の１つのパラメータを選択したのであれば、当該ＵＥとは同じリソースで多重化伝送するもう一つのＵＥは、同様に同一グループから選択する必要がある。たとえば、基地局からシグナリングによってＵＥ１に対し
【数５７１】
2021503810.tif 000573
＝１と設定し、ＵＥ２に対し
【数５７２】
2021503810.tif 000574
＝３と設定する。
【数５７３】
2021503810.tif 000575
に基づき、各シンボルでのＣＳパラメータを計算する。まず、
【数５７４】
2021503810.tif 000576
に基づき、設定された
【数５７５】
2021503810.tif 000577
を、０〜１２／
【数５７６】
2021503810.tif 000578
、すなわち０〜５の値に正規化し、それから、正規化されたＣＳパラメータに基づいてＣＳランダム化を行うことに相当する。すなわち、ＵＥ１の
【数５７７】
2021503810.tif 000579
から、シンボル番号
【数５７８】
2021503810.tif 000580
＝０〜１３のシンボルにそれぞれ対応するＣＳパラメータは、［５，１０，５，１１，８，１，３，０，６，０，０，２，５，８］であると算出する。そのうちの
【数５７９】
2021503810.tif 000581
＝７〜１３に対応するＣＳパラメータを取り、または、直接
【数５８０】
2021503810.tif 000582
＝７〜１３に基づき、ＰＵＣＣＨが占用するシンボルに対応するＣＳパラメータ［０，６，０，０，２，５，８］を算出し、さらに
【数５８１】
2021503810.tif 000583
に基づき、ＵＥ１のＰＵＣＣＨが占用する各シンボルのＣＳ値を得る。ＵＥ１は、当該ＣＳ値に従って、伝送されるＰＵＣＣＨに占用されるシンボルでの伝送系列を取得して伝送する。同様に、ＵＥ２の
【数５８２】
2021503810.tif 000584
から、シンボル番号
【数５８３】
2021503810.tif 000585
＝０〜１３のシンボルにそれぞれ対応するＣＳパラメータは、［７，０，７，１，１０，３，５，２，８，２，２，４，７，１０］であると算出する。そのうちの
【数５８４】
2021503810.tif 000586
＝７〜１３に対応するＣＳパラメータを取り、または、直接
【数５８５】
2021503810.tif 000587
＝７〜１３に基づき、ＰＵＣＣＨが占用するシンボルに対応するＣＳパラメータ［２，８，２，２，４，７，１０］を算出し、さらに
【数５８６】
2021503810.tif 000588
に基づき、ＵＥ２のＰＵＣＣＨが占用する各シンボルのＣＳ値を得る。ＵＥ２は、当該ＣＳ値に従って、伝送されるＰＵＣＣＨに占用されるシンボルでの伝送系列を取得して伝送する。
【００９０】
上記実施形態６の場合、設定された
【数５８７】
2021503810.tif 000589
は、
【数５８８】
2021503810.tif 000590
で正規化した値であるとする。すなわち、
【数５８９】
2021503810.tif 000591
＝１の場合、基地局から設定される
【数５９０】
2021503810.tif 000592
は、０〜１１であり、
【数５９１】
2021503810.tif 000593
＝２の場合、基地局から設定される
【数５９２】
2021503810.tif 000594
は、０〜５である。このような指示の利点として、
【数５９３】
2021503810.tif 000595
の大きさに応じて
【数５９４】
2021503810.tif 000596
の指示範囲を調整し、さらに必要な指示オーバヘッドを調整することができる。たとえば、０〜１１の範囲は、４ビットで指示する必要があり、０〜５の範囲は、３ビットで指示する必要があり、このように類推する。この場合、正規化された
【数５９５】
2021503810.tif 000597
に基づき、１つのシンボルで｛０，２，４，６，８，１０｝それとも｛１，３，５，７，９，１１｝から選択して使用するかは、
【数５９６】
2021503810.tif 000598
の奇偶性によって決められる。たとえば、基地局からシグナリングによってＵＥ１に対し
【数５９７】
2021503810.tif 000599
＝１と設定し、ＵＥ２に対し
【数５９８】
2021503810.tif 000600
＝３と設定する。
【数５９９】
2021503810.tif 000601
に基づき、ＵＥ１の
【数６００】
2021503810.tif 000602
から、シンボル番号
【数６０１】
2021503810.tif 000603
＝０〜１３のシンボルにそれぞれ対応するＣＳパラメータは、［７，０，７，１，１０，３，５，２，８，２，２，４，７，１０］であると算出する。そのうちの
【数６０２】
2021503810.tif 000604
＝７〜１３に対応するＣＳパラメータを取り、または、直接
【数６０３】
2021503810.tif 000605
＝７〜１３に基づき、ＰＵＣＣＨが占用するシンボルに対応するＣＳパラメータ［２，８，２，２，４，７，１０］を算出し、さらに
【数６０４】
2021503810.tif 000606
に基づき、ＵＥ１のＰＵＣＣＨが占用する各シンボルのＣＳ値を得る。ＵＥ１は、当該ＣＳ値に従って、伝送されるＰＵＣＣＨに占用されるシンボルでの伝送系列を取得して伝送する。同様に、ＵＥ２の
【数６０５】
2021503810.tif 000607
から、シンボル番号
【数６０６】
2021503810.tif 000608
＝０〜１３のシンボルにそれぞれ対応するＣＳパラメータは、［１１，４，１１，５，２，７，９，６，０，６，６，８，１１，２］であると算出する。そのうちの
【数６０７】
2021503810.tif 000609
＝７〜１３に対応するＣＳパラメータを取り、または、直接
【数６０８】
2021503810.tif 000610
＝７〜１３に基づき、ＰＵＣＣＨが占用するシンボルに対応するＣＳパラメータ［６，０，６，６，８，１１，２］を算出し、さらに
【数６０９】
2021503810.tif 000611
に基づき、ＵＥ２のＰＵＣＣＨが占用する各シンボルのＣＳ値を得る。ＵＥ２は、当該ＣＳ値に従って、伝送されるＰＵＣＣＨに占用されるシンボルでの伝送系列を取得して伝送する。
【００９１】
本実施例において、上記各実施形態によって、ＵＥ１とＵＥ２は、同じシンボルでＰＵＣＣＨを伝送するが、同一シンボルでのＣＳ値が異なるため、基地局は、同じリソースで、異なるＣＳ値でＵＥ１とＵＥ２を区別することができ、同一ＵＥの異なるシンボルでのＣＳランダム化によって、時間的に継続する干渉に抵抗する目的を実現することができる。また、異なるセルの間では、同一シンボルでの
【数６１０】
2021503810.tif 000612
値が異なり、異なるセルの同一シンボルでのＣＳ値が異なることを可能にし、異なるセル間の干渉ランダム化の目的を実現することができる。ここで、ｎｓとＩＤのうちいずれが変更すると、上記実施例で算出した
【数６１１】
2021503810.tif 000613
値もそれに応じて変更し、各シンボルでのＣＳ値もそれに応じて変更する。
【００９２】
さらに、図３を参照する。図３は、本開示のＰＵＣＣＨ伝送方法の別の実施例のフローチャートである。
図３に示すように、当該ＰＵＣＣＨ伝送方法において、
初期ＣＳパラメータ、および、少なくともシンボル番号に関連するランダム値に基づき、各シンボルに対応する目標ＣＳパラメータを決定するステップ３０１と、
前記目標ＣＳパラメータに従って、端末から送信されるＰＵＣＣＨを受信するステップ３０２と、を含む。
【００９３】
選択可能に、上記ステップ３０１は、第１式によって、各シンボルに対応する目標ＣＳパラメータ
【数６１２】
2021503810.tif 000614
を決定することを含む。
【数６１３】
2021503810.tif 000615
（第１式）
ここで、
【数６１４】
2021503810.tif 000616
；
【数６１５】
2021503810.tif 000617
：設定ＩＤまたはセルＩＤで初期化を行う疑似ランダム系列；
【数６１６】
2021503810.tif 000618
：番号
【数６１７】
2021503810.tif 000619
のタイムユニットで番号
【数６１８】
2021503810.tif 000620
のシンボルに対応する目標ＣＳパラメータ；
【数６１９】
2021503810.tif 000621
：前記初期ＣＳパラメータ；
【数６２０】
2021503810.tif 000622
：１つまたは複数のタイムユニットでのシンボル番号；
【数６２１】
2021503810.tif 000623
：タイムユニット番号；
【数６２２】
2021503810.tif 000624
：１つのＲＢに含まれるサブキャリア数；
【数６２３】
2021503810.tif 000625
：１つのスロットに含まれるシンボル数である。
【００９４】
選択可能に、上記ステップ３０１は、第２式によって、各シンボルに対応する目標ＣＳパラメータ
【数６２４】
2021503810.tif 000626
を決定することを含む。
【数６２５】
2021503810.tif 000627
（第２式）
ここで、
【数６２６】
2021503810.tif 000628
；
【数６２７】
2021503810.tif 000629
：設定ＩＤまたはセルＩＤで初期化を行う疑似ランダム系列；
【数６２８】
2021503810.tif 000630
：番号
【数６２９】
2021503810.tif 000631
のシンボルに対応する目標ＣＳパラメータ；
【数６３０】
2021503810.tif 000632
：前記初期ＣＳパラメータ；
【数６３１】
2021503810.tif 000633
：１つまたは複数のタイムユニットでのシンボル番号；
【数６３２】
2021503810.tif 000634
：１つのＲＢに含まれるサブキャリア数である。
【００９５】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数６３３】
2021503810.tif 000635
を決定することを含む。
【数６３４】
2021503810.tif 000636
（第３式）
ここで、
【数６３５】
2021503810.tif 000637
；
【数６３６】
2021503810.tif 000638
：設定ＩＤまたはセルＩＤで初期化を行う疑似ランダム系列；
【数６３７】
2021503810.tif 000639
：番号
【数６３８】
2021503810.tif 000640
のタイムユニットで番号
【数６３９】
2021503810.tif 000641
のシンボルに対応する目標ＣＳパラメータ；
【数６４０】
2021503810.tif 000642
：前記初期ＣＳパラメータ；
【数６４１】
2021503810.tif 000643
：１つまたは複数のタイムユニットでのシンボル番号；
【数６４２】
2021503810.tif 000644
：タイムユニット番号；
【数６４３】
2021503810.tif 000645
：１つのＲＢに含まれるサブキャリア数；
【数６４４】
2021503810.tif 000646
：ＣＳ間隔；
【数６４５】
2021503810.tif 000647
：１つのスロットに含まれるシンボル数である。
【００９６】
選択可能に、上記ステップ３０１は、第４式によって、各シンボルに対応する目標ＣＳパラメータ
【数６４６】
2021503810.tif 000648
を決定することを含む。
【数６４７】
2021503810.tif 000649
（第４式）
ここで、
【数６４８】
2021503810.tif 000650
；
【数６４９】
2021503810.tif 000651
：設定ＩＤまたはセルＩＤで初期化を行う疑似ランダム系列；
【数６５０】
2021503810.tif 000652
：番号
【数６５１】
2021503810.tif 000653
のシンボルに対応する目標ＣＳパラメータ；
【数６５２】
2021503810.tif 000654
：前記初期ＣＳパラメータ；
【数６５３】
2021503810.tif 000655
：１つまたは複数のタイムユニットでのシンボル番号；
【数６５４】
2021503810.tif 000656
：１つのＲＢに含まれるサブキャリア数；
【数６５５】
2021503810.tif 000657
：ＣＳ間隔である。
【００９７】
選択可能に、上記ステップ３０１は、第５式によって、各シンボルに対応する目標ＣＳパラメータ
【数６５６】
2021503810.tif 000658
を決定することを含む。
【数６５７】
2021503810.tif 000659
（第５式）
ここで、
【数６５８】
2021503810.tif 000660
；
【数６５９】
2021503810.tif 000661
：設定ＩＤまたはセルＩＤで初期化を行う疑似ランダム系列；
【数６６０】
2021503810.tif 000662
：番号
【数６６１】
2021503810.tif 000663
のタイムユニットで番号
【数６６２】
2021503810.tif 000664
のシンボルに対応する目標ＣＳパラメータ；
【数６６３】
2021503810.tif 000665
：前記初期ＣＳパラメータ；
【数６６４】
2021503810.tif 000666
：１つまたは複数のタイムユニットでのシンボル番号；
【数６６５】
2021503810.tif 000667
：タイムユニット番号；
【数６６６】
2021503810.tif 000668
：１つのＲＢに含まれるサブキャリア数；
【数６６７】
2021503810.tif 000669
：ＣＳ間隔；
【数６６８】
2021503810.tif 000670
：１つのスロットに含まれるシンボル数である。
【００９８】
選択可能に、上記ステップ３０１は、第６式によって、各シンボルに対応する目標ＣＳパラメータ
【数６６９】
2021503810.tif 000671
を決定することを含む。
【数６７０】
2021503810.tif 000672
（第６式）
ここで、
【数６７１】
2021503810.tif 000673
；
【数６７２】
2021503810.tif 000674
：設定ＩＤまたはセルＩＤで初期化を行う疑似ランダム系列；
【数６７３】
2021503810.tif 000675
：番号
【数６７４】
2021503810.tif 000676
のシンボルに対応する目標ＣＳパラメータ；
【数６７５】
2021503810.tif 000677
：前記初期ＣＳパラメータ；
【数６７６】
2021503810.tif 000678
：１つまたは複数のタイムユニットでのシンボル番号；
【数６７７】
2021503810.tif 000679
：１つのＲＢに含まれるサブキャリア数；
【数６７８】
2021503810.tif 000680
：ＣＳ間隔である。
【００９９】
選択可能に、前記タイムユニットは、
１つまたは複数のスロット、
または、１４個のシンボル、
または、１つまたは複数のサブフレーム、
を含む。
【０１００】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである。
【０１０１】
なお、本実施例は、図２に示す実施例に対応するネットワーク側機器の実施形態として、その具体的な実施形態について、図２に示す実施例の関連説明を参照する。重複な説明を避けるために本実施例では繰り返して記載せず、かつ同じ技術効果を奏することもできる。
【０１０２】
図４を参照する。図４は、本開示の実施例における端末の構造図である。
端末４００は、
初期ＣＳパラメータ、および、少なくともシンボル番号に関連するランダム値に基づき、各シンボルに対応する目標ＣＳパラメータを決定するための第１計算モジュール４０１と、
前記目標ＣＳパラメータに従ってＰＵＣＣＨを送信するための送信モジュール４０２と、を含む。
【０１０３】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数６７９】
2021503810.tif 000681
を決定することを含む。
【数６８０】
2021503810.tif 000682
（第１式）
ここで、
【数６８１】
2021503810.tif 000683
；
【数６８２】
2021503810.tif 000684
：設定ＩＤまたはセルＩＤで初期化を行う疑似ランダム系列；
【数６８３】
2021503810.tif 000685
：番号
【数６８４】
2021503810.tif 000686
のタイムユニットで番号
【数６８５】
2021503810.tif 000687
のシンボルに対応する目標ＣＳパラメータ；
【数６８６】
2021503810.tif 000688
：前記初期ＣＳパラメータ；
【数６８７】
2021503810.tif 000689
：１つまたは複数のタイムユニットでのシンボル番号；
【数６８８】
2021503810.tif 000690
：タイムユニット番号；
【数６８９】
2021503810.tif 000691
：１つのＲＢに含まれるサブキャリア数；
【数６９０】
2021503810.tif 000692
：１つのスロットに含まれるシンボル数である。
【０１０４】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数６９１】
2021503810.tif 000693
を決定することを含む。
【数６９２】
2021503810.tif 000694
（第２式）
ここで、
【数６９３】
2021503810.tif 000695
；
【数６９４】
2021503810.tif 000696
：設定ＩＤまたはセルＩＤで初期化を行う疑似ランダム系列；
【数６９５】
2021503810.tif 000697
：番号
【数６９６】
2021503810.tif 000698
のシンボルに対応する目標ＣＳパラメータ；
【数６９７】
2021503810.tif 000699
：前記初期ＣＳパラメータ；
【数６９８】
2021503810.tif 000700
：１つまたは複数のタイムユニットでのシンボル番号；
【数６９９】
2021503810.tif 000701
：１つのＲＢに含まれるサブキャリア数である。
【０１０５】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数７００】
2021503810.tif 000702
を決定することを含む。
【数７０１】
2021503810.tif 000703
（第３式）
ここで、
【数７０２】
2021503810.tif 000704
；
【数７０３】
2021503810.tif 000705
：設定ＩＤまたはセルＩＤで初期化を行う疑似ランダム系列；
【数７０４】
2021503810.tif 000706
：番号
【数７０５】
2021503810.tif 000707
のタイムユニットで番号
【数７０６】
2021503810.tif 000708
のシンボルに対応する目標ＣＳパラメータ；
【数７０７】
2021503810.tif 000709
：前記初期ＣＳパラメータ；
【数７０８】
2021503810.tif 000710
：１つまたは複数のタイムユニットでのシンボル番号；
【数７０９】
2021503810.tif 000711
：タイムユニット番号；
【数７１０】
2021503810.tif 000712
：１つのＲＢに含まれるサブキャリア数；
【数７１１】
2021503810.tif 000713
：ＣＳ間隔；
【数７１２】
2021503810.tif 000714
：１つのスロットに含まれるシンボル数である。
【０１０６】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数７１３】
2021503810.tif 000715
を決定することを含む。
【数７１４】
2021503810.tif 000716
（第４式）
ここで、
【数７１５】
2021503810.tif 000717
；
【数７１６】
2021503810.tif 000718
：設定ＩＤまたはセルＩＤで初期化を行う疑似ランダム系列；
【数７１７】
2021503810.tif 000719
：番号
【数７１８】
2021503810.tif 000720
のシンボルに対応する目標ＣＳパラメータ；
【数７１９】
2021503810.tif 000721
：前記初期ＣＳパラメータ；
【数７２０】
2021503810.tif 000722
：１つまたは複数のタイムユニットでのシンボル番号；
【数７２１】
2021503810.tif 000723
：１つのＲＢに含まれるサブキャリア数；
【数７２２】
2021503810.tif 000724
：ＣＳ間隔である。
【０１０７】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数７２３】
2021503810.tif 000725
を決定することを含む。
【数７２４】
2021503810.tif 000726
（第５式）
ここで、
【数７２５】
2021503810.tif 000727
；
【数７２６】
2021503810.tif 000728
：設定ＩＤまたはセルＩＤで初期化を行う疑似ランダム系列；
【数７２７】
2021503810.tif 000729
：番号
【数７２８】
2021503810.tif 000730
のタイムユニットで番号
【数７２９】
2021503810.tif 000731
のシンボルに対応する目標ＣＳパラメータ；
【数７３０】
2021503810.tif 000732
：前記初期ＣＳパラメータ；
【数７３１】
2021503810.tif 000733
：１つまたは複数のタイムユニットでのシンボル番号；
【数７３２】
2021503810.tif 000734
：タイムユニット番号；
【数７３３】
2021503810.tif 000735
：１つのＲＢに含まれるサブキャリア数；
【数７３４】
2021503810.tif 000736
：ＣＳ間隔；
【数７３５】
2021503810.tif 000737
：１つのスロットに含まれるシンボル数である。
【０１０８】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数７３６】
2021503810.tif 000738
を決定することを含む。
【数７３７】
2021503810.tif 000739
（第６式）
ここで、
【数７３８】
2021503810.tif 000740
；
【数７３９】
2021503810.tif 000741
：設定ＩＤまたはセルＩＤで初期化を行う疑似ランダム系列；
【数７４０】
2021503810.tif 000742
：番号
【数７４１】
2021503810.tif 000743
のシンボルに対応する目標ＣＳパラメータ；
【数７４２】
2021503810.tif 000744
：前記初期ＣＳパラメータ；
【数７４３】
2021503810.tif 000745
：１つまたは複数のタイムユニットでのシンボル番号；
【数７４４】
2021503810.tif 000746
：１つのＲＢに含まれるサブキャリア数；
【数７４５】
2021503810.tif 000747
：ＣＳ間隔である。
【０１０９】
なお、本実施例における上記端末４００は、本開示の実施例における方法実施例の任意の実施形態の端末であってもよい。本開示の実施例における方法実施例の端末の任意の実施形態は、本実施例における上記端末４００によって実現可能であり、かつ同じ技術効果を奏することもできるため、ここでは繰り返して記載しない。
【０１１０】
図５を参照する。図５は、本開示の実施例におけるネットワーク側機器の構造図である。
図５に示すように、ネットワーク側機器５００は、
初期ＣＳパラメータ、および、少なくともシンボル番号に関連するランダム値に基づき、各シンボルに対応する目標ＣＳパラメータを決定するための第２計算モジュール５０１と、
前記目標ＣＳパラメータに従って、端末から送信されるＰＵＣＣＨを受信するための受信モジュール５０２と、を含む。
【０１１１】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数７４６】
2021503810.tif 000748
を決定することを含む。
【数７４７】
2021503810.tif 000749
（第１式）
ここで、
【数７４８】
2021503810.tif 000750
；
【数７４９】
2021503810.tif 000751
：設定ＩＤまたはセルＩＤで初期化を行う疑似ランダム系列；
【数７５０】
2021503810.tif 000752
：番号
【数７５１】
2021503810.tif 000753
のタイムユニットで番号
【数７５２】
2021503810.tif 000754
のシンボルに対応する目標ＣＳパラメータ；
【数７５３】
2021503810.tif 000755
：前記初期ＣＳパラメータ；
【数７５４】
2021503810.tif 000756
：１つまたは複数のタイムユニットでのシンボル番号；
【数７５５】
2021503810.tif 000757
：タイムユニット番号；
【数７５６】
2021503810.tif 000758
：１つのＲＢに含まれるサブキャリア数；
【数７５７】
2021503810.tif 000759
：１つのスロットに含まれるシンボル数である。
【０１１２】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数７５８】
2021503810.tif 000760
を決定することを含む。
【数７５９】
2021503810.tif 000761
（第２式）
ここで、
【数７６０】
2021503810.tif 000762
；
【数７６１】
2021503810.tif 000763
：設定ＩＤまたはセルＩＤで初期化を行う疑似ランダム系列；
【数７６２】
2021503810.tif 000764
：番号
【数７６３】
2021503810.tif 000765
のシンボルに対応する目標ＣＳパラメータ；
【数７６４】
2021503810.tif 000766
：前記初期ＣＳパラメータ；
【数７６５】
2021503810.tif 000767
：１つまたは複数のタイムユニットでのシンボル番号；
【数７６６】
2021503810.tif 000768
：１つのＲＢに含まれるサブキャリア数である。
【０１１３】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数７６７】
2021503810.tif 000769
を決定することを含む。
【数７６８】
2021503810.tif 000770
（第３式）
ここで、
【数７６９】
2021503810.tif 000771
；
【数７７０】
2021503810.tif 000772
：設定ＩＤまたはセルＩＤで初期化を行う疑似ランダム系列；
【数７７１】
2021503810.tif 000773
：番号
【数７７２】
2021503810.tif 000774
のタイムユニットで番号
【数７７３】
2021503810.tif 000775
のシンボルに対応する目標ＣＳパラメータ；
【数７７４】
2021503810.tif 000776
：前記初期ＣＳパラメータ；
【数７７５】
2021503810.tif 000777
：１つまたは複数のタイムユニットでのシンボル番号；
【数７７６】
2021503810.tif 000778
：タイムユニット番号；
【数７７７】
2021503810.tif 000779
：１つのＲＢに含まれるサブキャリア数；
【数７７８】
2021503810.tif 000780
：ＣＳ間隔；
【数７７９】
2021503810.tif 000781
：１つのスロットに含まれるシンボル数である。
【０１１４】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数７８０】
2021503810.tif 000782
を決定することを含む。
【数７８１】
2021503810.tif 000783
（第４式）
ここで、
【数７８２】
2021503810.tif 000784
；
【数７８３】
2021503810.tif 000785
：設定ＩＤまたはセルＩＤで初期化を行う疑似ランダム系列；
【数７８４】
2021503810.tif 000786
：番号
【数７８５】
2021503810.tif 000787
のシンボルに対応する目標ＣＳパラメータ；
【数７８６】
2021503810.tif 000788
：前記初期ＣＳパラメータ；
【数７８７】
2021503810.tif 000789
：１つまたは複数のタイムユニットでのシンボル番号；
【数７８８】
2021503810.tif 000790
：１つのＲＢに含まれるサブキャリア数；
【数７８９】
2021503810.tif 000791
：ＣＳ間隔である。
【０１１５】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数７９０】
2021503810.tif 000792
を決定することを含む。
【数７９１】
2021503810.tif 000793
（第５式）
ここで、
【数７９２】
2021503810.tif 000794
；
【数７９３】
2021503810.tif 000795
：設定ＩＤまたはセルＩＤで初期化を行う疑似ランダム系列；
【数７９４】
2021503810.tif 000796
：番号
【数７９５】
2021503810.tif 000797
のタイムユニットで番号
【数７９６】
2021503810.tif 000798
のシンボルに対応する目標ＣＳパラメータ；
【数７９７】
2021503810.tif 000799
：前記初期ＣＳパラメータ；
【数７９８】
2021503810.tif 000800
：１つまたは複数のタイムユニットでのシンボル番号；
【数７９９】
2021503810.tif 000801
：タイムユニット番号；
【数８００】
2021503810.tif 000802
：１つのＲＢに含まれるサブキャリア数；
【数８０１】
2021503810.tif 000803
：ＣＳ間隔；
【数８０２】
2021503810.tif 000804
：１つのスロットに含まれるシンボル数である。
【０１１６】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数８０３】
2021503810.tif 000805
を決定することを含む。
【数８０４】
2021503810.tif 000806
（第６式）
ここで、
【数８０５】
2021503810.tif 000807
；
【数８０６】
2021503810.tif 000808
：設定ＩＤまたはセルＩＤで初期化を行う疑似ランダム系列；
【数８０７】
2021503810.tif 000809
：番号
【数８０８】
2021503810.tif 000810
のシンボルに対応する目標ＣＳパラメータ；
【数８０９】
2021503810.tif 000811
：前記初期ＣＳパラメータ；
【数８１０】
2021503810.tif 000812
：１つまたは複数のタイムユニットでのシンボル番号；
【数８１１】
2021503810.tif 000813
：１つのＲＢに含まれるサブキャリア数；
【数８１２】
2021503810.tif 000814
：ＣＳ間隔である。
【０１１７】
なお、本実施例における上記ネットワーク側機器５００は、本開示の実施例における方法実施例の任意の実施形態のネットワーク側機器であってもよい。本開示の実施例における方法実施例のネットワーク側機器の任意の実施形態は、本実施例における上記ネットワーク側機器５００によって実現可能であり、かつ同じ技術効果を奏することもできるため、ここでは繰り返して記載しない。
【０１１８】
図６を参照する。図６は、本開示の実施例における別の端末の構造図である。
図６に示すように、当該端末は、トランシーバ６１０と、メモリ６２０と、プロセッサ６００と、前記メモリ６２０に記憶されて前記プロセッサで実行可能なプログラムを含む。
前記プロセッサ６００は、メモリからプログラムを読み取ることによって、
初期ＣＳパラメータ、および、少なくともシンボル番号に関連するランダム値に基づき、各シンボルに対応する目標ＣＳパラメータを決定するプロセスを実行することに用いられる。
前記トランシーバ６１０は、前記目標ＣＳパラメータに従ってＰＵＣＣＨを送信することに用いられる。
または、前記トランシーバ６１０は、初期ＣＳパラメータ、および、少なくともシンボル番号に関連するランダム値に基づき、各シンボルに対応する目標ＣＳパラメータを決定するプロセスを実行することと、前記目標ＣＳパラメータに従ってＰＵＣＣＨを送信することとに用いられる。
【０１１９】
ここで、トランシーバ６１０は、プロセッサ６００による制御でデータを送受信することに用いられる。
【０１２０】
図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。
【０１２１】
プロセッサ６００は、バスアーキテクチャと通常の処理を管理する。メモリ６２０は、プロセッサ６００による作業時に使用されるデータを記憶できる。
【０１２２】
なお、メモリ６２０は、端末に限定されない。メモリ６２０とプロセッサ６００は、異なる地理位置に分離してもよい。
【０１２３】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数８１３】
2021503810.tif 000815
を決定することを含む。
【数８１４】
2021503810.tif 000816
（第１式）
ここで、
【数８１５】
2021503810.tif 000817
；
【数８１６】
2021503810.tif 000818
：設定ＩＤまたはセルＩＤで初期化を行う疑似ランダム系列；
【数８１７】
2021503810.tif 000819
：番号
【数８１８】
2021503810.tif 000820
のタイムユニットで番号
【数８１９】
2021503810.tif 000821
のシンボルに対応する目標ＣＳパラメータ；
【数８２０】
2021503810.tif 000822
：前記初期ＣＳパラメータ；
【数８２１】
2021503810.tif 000823
：１つまたは複数のタイムユニットでのシンボル番号；
【数８２２】
2021503810.tif 000824
：タイムユニット番号；
【数８２３】
2021503810.tif 000825
：１つのＲＢ（Ｒｅｓｏｕｒｃｅ  Ｂｌｏｃｋ）に含まれるサブキャリア数；
【数８２４】
2021503810.tif 000826
：１つのスロットに含まれるシンボル数である。
【０１２４】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数８２５】
2021503810.tif 000827
を決定することを含む。
【数８２６】
2021503810.tif 000828
（第２式）
ここで、
【数８２７】
2021503810.tif 000829
；
【数８２８】
2021503810.tif 000830
：設定ＩＤまたはセルＩＤで初期化を行う疑似ランダム系列；
【数８２９】
2021503810.tif 000831
：番号
【数８３０】
2021503810.tif 000832
のシンボルに対応する目標ＣＳパラメータ；
【数８３１】
2021503810.tif 000833
：前記初期ＣＳパラメータ；
【数８３２】
2021503810.tif 000834
：１つまたは複数のタイムユニットでのシンボル番号；
【数８３３】
2021503810.tif 000835
：１つのＲＢに含まれるサブキャリア数である。
【０１２５】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数８３４】
2021503810.tif 000836
を決定することを含む。
【数８３５】
2021503810.tif 000837
（第３式）
ここで、
【数８３６】
2021503810.tif 000838
；
【数８３７】
2021503810.tif 000839
：設定ＩＤまたはセルＩＤで初期化を行う疑似ランダム系列；
【数８３８】
2021503810.tif 000840
：番号
【数８３９】
2021503810.tif 000841
のタイムユニットで番号
【数８４０】
2021503810.tif 000842
のシンボルに対応する目標ＣＳパラメータ；
【数８４１】
2021503810.tif 000843
：前記初期ＣＳパラメータ；
【数８４２】
2021503810.tif 000844
：１つまたは複数のタイムユニットでのシンボル番号；
【数８４３】
2021503810.tif 000845
：タイムユニット番号；
【数８４４】
2021503810.tif 000846
：１つのＲＢに含まれるサブキャリア数；
【数８４５】
2021503810.tif 000847
：ＣＳ間隔；
【数８４６】
2021503810.tif 000848
：１つのスロットに含まれるシンボル数である。
【０１２６】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数８４７】
2021503810.tif 000849
を決定することを含む。
【数８４８】
2021503810.tif 000850
（第４式）
ここで、
【数８４９】
2021503810.tif 000851
；
【数８５０】
2021503810.tif 000852
：設定ＩＤまたはセルＩＤで初期化を行う疑似ランダム系列；
【数８５１】
2021503810.tif 000853
：番号
【数８５２】
2021503810.tif 000854
のシンボルに対応する目標ＣＳパラメータ；
【数８５３】
2021503810.tif 000855
：前記初期ＣＳパラメータ；
【数８５４】
2021503810.tif 000856
：１つまたは複数のタイムユニットでのシンボル番号；
【数８５５】
2021503810.tif 000857
：１つのＲＢに含まれるサブキャリア数；
【数８５６】
2021503810.tif 000858
：ＣＳ間隔である。
【０１２７】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数８５７】
2021503810.tif 000859
を決定することを含む。
【数８５８】
2021503810.tif 000860
（第５式）
ここで、
【数８５９】
2021503810.tif 000861
；
【数８６０】
2021503810.tif 000862
：設定ＩＤまたはセルＩＤで初期化を行う疑似ランダム系列；
【数８６１】
2021503810.tif 000863
：番号
【数８６２】
2021503810.tif 000864
のタイムユニットで番号
【数８６３】
2021503810.tif 000865
のシンボルに対応する目標ＣＳパラメータ；
【数８６４】
2021503810.tif 000866
：前記初期ＣＳパラメータ；
【数８６５】
2021503810.tif 000867
：１つまたは複数のタイムユニットでのシンボル番号；
【数８６６】
2021503810.tif 000868
：タイムユニット番号；
【数８６７】
2021503810.tif 000869
：１つのＲＢに含まれるサブキャリア数；
【数８６８】
2021503810.tif 000870
：ＣＳ間隔；
【数８６９】
2021503810.tif 000871
：１つのスロットに含まれるシンボル数である。
【０１２８】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数８７０】
2021503810.tif 000872
を決定することを含む。
【数８７１】
2021503810.tif 000873
（第６式）
ここで、
【数８７２】
2021503810.tif 000874
；
【数８７３】
2021503810.tif 000875
：設定ＩＤまたはセルＩＤで初期化を行う疑似ランダム系列；
【数８７４】
2021503810.tif 000876
：番号
【数８７５】
2021503810.tif 000877
のシンボルに対応する目標ＣＳパラメータ；
【数８７６】
2021503810.tif 000878
：前記初期ＣＳパラメータ；
【数８７７】
2021503810.tif 000879
：１つまたは複数のタイムユニットでのシンボル番号；
【数８７８】
2021503810.tif 000880
：１つのＲＢに含まれるサブキャリア数；
【数８７９】
2021503810.tif 000881
：ＣＳ間隔である。
【０１２９】
選択可能に、前記タイムユニットは、
１つまたは複数のスロット、
または、１４個のシンボル、
または、１つまたは複数のサブフレーム、
を含む。
【０１３０】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩ（Ｄｏｗｎｌｉｎｋ  Ｃｏｎｔｒｏｌ  Ｉｎｆｏｒｍａｔｉｏｎ）によって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである。
【０１３１】
なお、本実施例における上記端末は、本開示の実施例における方法実施例の任意の実施形態の端末であってもよい。本開示の実施例における方法実施例の端末の任意の実施形態は、本実施例における上記端末によって実現可能であり、かつ同じ技術効果を奏することもできるため、ここでは繰り返して記載しない。
【０１３２】
図７を参照する。図７は、本開示の実施例における別のネットワーク側機器の構造図である。
図７に示すように、当該ネットワーク側機器は、トランシーバ７１０と、メモリ７２０と、プロセッサ７００と、前記メモリ７２０に記憶されて前記プロセッサで実行可能なプログラムを含む。
前記プロセッサ７００は、メモリからプログラムを読み取ることによって、初期ＣＳパラメータ、および、少なくともシンボル番号に関連するランダム値に基づき、各シンボルに対応する目標ＣＳパラメータを決定することに用いられる。
前記トランシーバ７１０は、前記目標ＣＳパラメータに従って、端末から送信されるＰＵＣＣＨを受信することに用いられる。
または、前記トランシーバ７１０は、初期ＣＳパラメータ、および、少なくともシンボル番号に関連するランダム値に基づき、各シンボルに対応する目標ＣＳパラメータを決定することと、前記目標ＣＳパラメータに従って、端末から送信されるＰＵＣＣＨを受信することに用いられる。
【０１３３】
図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。
【０１３４】
プロセッサ７００は、バスアーキテクチャと通常の処理を管理する。メモリ７２０は、プロセッサ７００による作業時に使用されるデータを記憶できる。
【０１３５】
なお、メモリ７２０は、端末に限定されない。メモリ７２０とプロセッサ７００は、異なる地理位置に分離してもよい。
【０１３６】
選択可能に、前記の初期ＣＳパラメータ、および、少なくともシンボル番号に関連するランダム値に基づき、各シンボルに対応する目標ＣＳパラメータを決定することは、第１式によって、各シンボルに対応する目標ＣＳパラメータ
【数８８０】
2021503810.tif 000882
を決定することを含む。
【数８８１】
2021503810.tif 000883
（第１式）
ここで、
【数８８２】
2021503810.tif 000884
；
【数８８３】
2021503810.tif 000885
：設定ＩＤまたはセルＩＤで初期化を行う疑似ランダム系列；
【数８８４】
2021503810.tif 000886
：番号
【数８８５】
2021503810.tif 000887
のタイムユニットで番号
【数８８６】
2021503810.tif 000888
のシンボルに対応する目標ＣＳパラメータ；
【数８８７】
2021503810.tif 000889
：前記初期ＣＳパラメータ；
【数８８８】
2021503810.tif 000890
：１つまたは複数のタイムユニットでのシンボル番号；
【数８８９】
2021503810.tif 000891
：タイムユニット番号；
【数８９０】
2021503810.tif 000892
：１つのＲＢに含まれるサブキャリア数；
【数８９１】
2021503810.tif 000893
：１つのスロットに含まれるシンボル数である。
【０１３７】
選択可能に、前記の初期ＣＳパラメータ、および、少なくともシンボル番号に関連するランダム値に基づき、各シンボルに対応する目標ＣＳパラメータを決定することは、第２式によって、各シンボルに対応する目標ＣＳパラメータ
【数８９２】
2021503810.tif 000894
を決定することを含む。
【数８９３】
2021503810.tif 000895
（第２式）
ここで、
【数８９４】
2021503810.tif 000896
；
【数８９５】
2021503810.tif 000897
：設定ＩＤまたはセルＩＤで初期化を行う疑似ランダム系列；
【数８９６】
2021503810.tif 000898
：番号
【数８９７】
2021503810.tif 000899
のシンボルに対応する目標ＣＳパラメータ；
【数８９８】
2021503810.tif 000900
：前記初期ＣＳパラメータ；
【数８９９】
2021503810.tif 000901
：１つまたは複数のタイムユニットでのシンボル番号；
【数９００】
2021503810.tif 000902
：１つのＲＢに含まれるサブキャリア数である。
【０１３８】
選択可能に、前記の初期ＣＳパラメータ、および、少なくともシンボル番号に関連するランダム値に基づき、各シンボルに対応する目標ＣＳパラメータを決定することは、第３式によって、各シンボルに対応する目標ＣＳパラメータ
【数９０１】
2021503810.tif 000903
を決定することを含む。
【数９０２】
2021503810.tif 000904
（第３式）
ここで、
【数９０３】
2021503810.tif 000905
；
【数９０４】
2021503810.tif 000906
：設定ＩＤまたはセルＩＤで初期化を行う疑似ランダム系列；
【数９０５】
2021503810.tif 000907
：番号
【数９０６】
2021503810.tif 000908
のタイムユニットで番号
【数９０７】
2021503810.tif 000909
のシンボルに対応する目標ＣＳパラメータ；
【数９０８】
2021503810.tif 000910
：前記初期ＣＳパラメータ；
【数９０９】
2021503810.tif 000911
：１つまたは複数のタイムユニットでのシンボル番号；
【数９１０】
2021503810.tif 000912
：タイムユニット番号；
【数９１１】
2021503810.tif 000913
：１つのＲＢに含まれるサブキャリア数；
【数９１２】
2021503810.tif 000914
：ＣＳ間隔；
【数９１３】
2021503810.tif 000915
：１つのスロットに含まれるシンボル数である。
【０１３９】
選択可能に、前記の初期ＣＳパラメータ、および、少なくともシンボル番号に関連するランダム値に基づき、各シンボルに対応する目標ＣＳパラメータを決定することは、第４式によって、各シンボルに対応する目標ＣＳパラメータ
【数９１４】
2021503810.tif 000916
を決定することを含む。
【数９１５】
2021503810.tif 000917
（第４式）
ここで、
【数９１６】
2021503810.tif 000918
；
【数９１７】
2021503810.tif 000919
：設定ＩＤまたはセルＩＤで初期化を行う疑似ランダム系列；
【数９１８】
2021503810.tif 000920
：番号
【数９１９】
2021503810.tif 000921
のシンボルに対応する目標ＣＳパラメータ；
【数９２０】
2021503810.tif 000922
：前記初期ＣＳパラメータ；
【数９２１】
2021503810.tif 000923
：１つまたは複数のタイムユニットでのシンボル番号；
【数９２２】
2021503810.tif 000924
：１つのＲＢに含まれるサブキャリア数；
【数９２３】
2021503810.tif 000925
：ＣＳ間隔である。
【０１４０】
選択可能に、前記の初期ＣＳパラメータ、および、少なくともシンボル番号に関連するランダム値に基づき、各シンボルに対応する目標ＣＳパラメータを決定することは、第５式によって、各シンボルに対応する目標ＣＳパラメータ
【数９２４】
2021503810.tif 000926
を決定することを含む。
【数９２５】
2021503810.tif 000927
（第５式）
ここで、
【数９２６】
2021503810.tif 000928
；
【数９２７】
2021503810.tif 000929
：設定ＩＤまたはセルＩＤで初期化を行う疑似ランダム系列；
【数９２８】
2021503810.tif 000930
：番号
【数９２９】
2021503810.tif 000931
のタイムユニットで番号
【数９３０】
2021503810.tif 000932
のシンボルに対応する目標ＣＳパラメータ；
【数９３１】
2021503810.tif 000933
：前記初期ＣＳパラメータ；
【数９３２】
2021503810.tif 000934
：１つまたは複数のタイムユニットでのシンボル番号；
【数９３３】
2021503810.tif 000935
：タイムユニット番号；
【数９３４】
2021503810.tif 000936
：１つのＲＢに含まれるサブキャリア数；
【数９３５】
2021503810.tif 000937
：ＣＳ間隔；
【数９３６】
2021503810.tif 000938
：１つのスロットに含まれるシンボル数である。
【０１４１】
選択可能に、前記の初期ＣＳパラメータ、および、少なくともシンボル番号に関連するランダム値に基づき、各シンボルに対応する目標ＣＳパラメータを決定することは、第６式によって、各シンボルに対応する目標ＣＳパラメータ
【数９３７】
2021503810.tif 000939
を決定することを含む。
【数９３８】
2021503810.tif 000940
（第６式）
ここで、
【数９３９】
2021503810.tif 000941
；
【数９４０】
2021503810.tif 000942
：設定ＩＤまたはセルＩＤで初期化を行う疑似ランダム系列；
【数９４１】
2021503810.tif 000943
：番号
【数９４２】
2021503810.tif 000944
のシンボルに対応する目標ＣＳパラメータ；
【数９４３】
2021503810.tif 000945
：前記初期ＣＳパラメータ；
【数９４４】
2021503810.tif 000946
：１つまたは複数のタイムユニットでのシンボル番号；
【数９４５】
2021503810.tif 000947
：１つのＲＢに含まれるサブキャリア数；
【数９４６】
2021503810.tif 000948
：ＣＳ間隔である。
【０１４２】
選択可能に、前記タイムユニットは、
１つまたは複数のスロット、
または、１４個のシンボル、
または、１つまたは複数のサブフレーム、
を含む。
【０１４３】
選択可能に、前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである。
【０１４４】
なお、本実施例における上記ネットワーク側機器は、本開示の実施例における方法実施例の任意の実施形態のネットワーク側機器であってもよい。本開示の実施例における方法実施例のネットワーク側機器の任意の実施形態は、本実施例における上記ネットワーク側機器によって実現可能であり、かつ同じ技術効果を奏することもできるため、ここでは繰り返して記載しない。
【０１４５】
本開示の実施例は、プログラムが記憶されているコンピュータ読み取り可能な記憶媒体をさらに提供する。当該プログラムがプロセッサによって実行されると、本開示の実施例における端末側のＰＵＣＣＨ伝送方法のステップが実現される。
【０１４６】
本開示の実施例は、プログラムが記憶されているコンピュータ読み取り可能な記憶媒体をさらに提供する。当該プログラムがプロセッサによって実行されると、本開示の実施例におけるネットワーク側機器側のＰＵＣＣＨ伝送方法のステップが実現される。
【０１４７】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０１４８】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０１４９】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１５０】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2021503810.tif 001351
【図２】
2021503810.tif 001352
【図３】
2021503810.tif 001353
【図４】
2021503810.tif 001354
【図５】
2021503810.tif 001355
【図６】
2021503810.tif 001356
【図７】
2021503810.tif 001357
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
端末に応用されるＰＵＣＣＨ（Ｐｈｙｓｉｃａｌ  Ｕｐｌｉｎｋ  Ｃｏｎｔｒｏｌ  Ｃｈａｎｎｅｌ）伝送方法において、
初期ＣＳ（Ｃｙｃｌｉｃ  Ｓｈｉｆｔ）パラメータ、および、少なくともシンボル番号に関連するランダム値に基づき、各シンボルに対応する目標ＣＳパラメータを決定することと、
前記目標ＣＳパラメータに従って、ＰＵＣＣＨを送信することと、
を含む、ＰＵＣＣＨ伝送方法。
【請求項２】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数１】
2021503810.tif 001358
を決定すること、
【数２】
2021503810.tif 001359
（第１式）
ここで、
【数３】
2021503810.tif 001360
；
【数４】
2021503810.tif 001361
：設定ＩＤまたはセルＩＤで初期化を行う疑似ランダム系列；
【数５】
2021503810.tif 001362
：番号
【数６】
2021503810.tif 001363
のタイムユニットで番号
【数７】
2021503810.tif 001364
のシンボルに対応する目標ＣＳパラメータ；
【数８】
2021503810.tif 001365
：前記初期ＣＳパラメータ；
【数９】
2021503810.tif 001366
：１つまたは複数のタイムユニットでのシンボル番号；
【数１０】
2021503810.tif 001367
：タイムユニット番号；
【数１１】
2021503810.tif 001368
：１つのＲＢ（Ｒｅｓｏｕｒｃｅ  Ｂｌｏｃｋ）に含まれるサブキャリア数；
【数１２】
2021503810.tif 001369
：１つのスロットに含まれるシンボル数；
または、
第２式によって、各シンボルに対応する目標ＣＳパラメータ
【数１３】
2021503810.tif 001370
を決定すること、
【数１４】
2021503810.tif 001371
（第２式）
ここで、
【数１５】
2021503810.tif 001372
；
【数１６】
2021503810.tif 001373
：設定ＩＤまたはセルＩＤで初期化を行う疑似ランダム系列；
【数１７】
2021503810.tif 001374
：番号
【数１８】
2021503810.tif 001375
のシンボルに対応する目標ＣＳパラメータ；
【数１９】
2021503810.tif 001376
：前記初期ＣＳパラメータ；
【数２０】
2021503810.tif 001377
：１つまたは複数のタイムユニットでのシンボル番号；
【数２１】
2021503810.tif 001378
：１つのＲＢに含まれるサブキャリア数；
または、
第３式によって、各シンボルに対応する目標ＣＳパラメータ
【数２２】
2021503810.tif 001379
を決定すること、
【数２３】
2021503810.tif 001380
（第３式）
ここで、
【数２４】
2021503810.tif 001381
；
【数２５】
2021503810.tif 001382
：設定ＩＤまたはセルＩＤで初期化を行う疑似ランダム系列；
【数２６】
2021503810.tif 001383
：番号
【数２７】
2021503810.tif 001384
のタイムユニットで番号
【数２８】
2021503810.tif 001385
のシンボルに対応する目標ＣＳパラメータ；
【数２９】
2021503810.tif 001386
：前記初期ＣＳパラメータ；
【数３０】
2021503810.tif 001387
：１つまたは複数のタイムユニットでのシンボル番号；
【数３１】
2021503810.tif 001388
：タイムユニット番号；
【数３２】
2021503810.tif 001389
：１つのＲＢに含まれるサブキャリア数；
【数３３】
2021503810.tif 001390
：ＣＳ間隔；
【数３４】
2021503810.tif 001391
：１つのスロットに含まれるシンボル数；
または、
第４式によって、各シンボルに対応する目標ＣＳパラメータ
【数３５】
2021503810.tif 001392
を決定すること、
【数３６】
2021503810.tif 001393
（第４式）
ここで、
【数３７】
2021503810.tif 001394
；
【数３８】
2021503810.tif 001395
：設定ＩＤまたはセルＩＤで初期化を行う疑似ランダム系列；
【数３９】
2021503810.tif 001396
：番号
【数４０】
2021503810.tif 001397
のシンボルに対応する目標ＣＳパラメータ；
【数４１】
2021503810.tif 001398
：前記初期ＣＳパラメータ；
【数４２】
2021503810.tif 001399
：１つまたは複数のタイムユニットでのシンボル番号；
【数４３】
2021503810.tif 001400
：１つのＲＢに含まれるサブキャリア数；
【数４４】
2021503810.tif 001401
：ＣＳ間隔；
または、
第５式によって、各シンボルに対応する目標ＣＳパラメータ
【数４５】
2021503810.tif 001402
を決定すること、
【数４６】
2021503810.tif 001403
（第５式）
ここで、
【数４７】
2021503810.tif 001404
；
【数４８】
2021503810.tif 001405
：設定ＩＤまたはセルＩＤで初期化を行う疑似ランダム系列；
【数４９】
2021503810.tif 001406
：番号
【数５０】
2021503810.tif 001407
のタイムユニットで番号
【数５１】
2021503810.tif 001408
のシンボルに対応する目標ＣＳパラメータ；
【数５２】
2021503810.tif 001409
：前記初期ＣＳパラメータ；
【数５３】
2021503810.tif 001410
：１つまたは複数のタイムユニットでのシンボル番号；
【数５４】
2021503810.tif 001411
：タイムユニット番号；
【数５５】
2021503810.tif 001412
：１つのＲＢに含まれるサブキャリア数；
【数５６】
2021503810.tif 001413
：ＣＳ間隔；
【数５７】
2021503810.tif 001414
：１つのスロットに含まれるシンボル数；
または、
第６式によって、各シンボルに対応する目標ＣＳパラメータ
【数５８】
2021503810.tif 001415
を決定すること、
【数５９】
2021503810.tif 001416
（第６式）
ここで、
【数６０】
2021503810.tif 001417
；
【数６１】
2021503810.tif 001418
：設定ＩＤまたはセルＩＤで初期化を行う疑似ランダム系列；
【数６２】
2021503810.tif 001419
：番号
【数６３】
2021503810.tif 001420
のシンボルに対応する目標ＣＳパラメータ；
【数６４】
2021503810.tif 001421
：前記初期ＣＳパラメータ；
【数６５】
2021503810.tif 001422
：１つまたは複数のタイムユニットでのシンボル番号；
【数６６】
2021503810.tif 001423
：１つのＲＢに含まれるサブキャリア数；
【数６７】
2021503810.tif 001424
：ＣＳ間隔；
を含む、請求項１に記載の方法。
【請求項３】
前記タイムユニットは、
１つまたは複数のスロット、
または、１４個のシンボル、
または、１つまたは複数のサブフレーム、
を含む、請求項２に記載の方法。
【請求項４】
前記初期ＣＳパラメータは、
ネットワーク側機器からハイレイヤシグナリングによって前記端末に対し予め設定されたＣＳパラメータであり、
または、ネットワーク側機器からＤＣＩ（Ｄｏｗｎｌｉｎｋ  Ｃｏｎｔｒｏｌ  Ｉｎｆｏｒｍａｔｉｏｎ）によって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである、請求項１〜３のいずれか一項に記載の方法。
【請求項５】
ネットワーク側機器に応用されるＰＵＣＣＨ伝送方法において、
初期ＣＳパラメータ、および、少なくともシンボル番号に関連するランダム値に基づき、各シンボルに対応する目標ＣＳパラメータを決定することと、
前記目標ＣＳパラメータに従って、端末から送信されるＰＵＣＣＨを受信することと、
を含む、ＰＵＣＣＨ伝送方法。
【請求項６】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数６８】
2021503810.tif 001425
を決定すること、
【数６９】
2021503810.tif 001426
（第１式）
ここで、
【数７０】
2021503810.tif 001427
；
【数７１】
2021503810.tif 001428
：設定ＩＤまたはセルＩＤで初期化を行う疑似ランダム系列；
【数７２】
2021503810.tif 001429
：番号
【数７３】
2021503810.tif 001430
のタイムユニットで番号
【数７４】
2021503810.tif 001431
のシンボルに対応する目標ＣＳパラメータ；
【数７５】
2021503810.tif 001432
：前記初期ＣＳパラメータ；
【数７６】
2021503810.tif 001433
：１つまたは複数のタイムユニットでのシンボル番号；
【数７７】
2021503810.tif 001434
：タイムユニット番号；
【数７８】
2021503810.tif 001435
：１つのＲＢに含まれるサブキャリア数；
【数７９】
2021503810.tif 001436
：１つのスロットに含まれるシンボル数；
または、
第２式によって、各シンボルに対応する目標ＣＳパラメータ
【数８０】
2021503810.tif 001437
を決定すること、
【数８１】
2021503810.tif 001438
（第２式）
ここで、
【数８２】
2021503810.tif 001439
；
【数８３】
2021503810.tif 001440
：設定ＩＤまたはセルＩＤで初期化を行う疑似ランダム系列；
【数８４】
2021503810.tif 001441
：番号
【数８５】
2021503810.tif 001442
のシンボルに対応する目標ＣＳパラメータ；
【数８６】
2021503810.tif 001443
：前記初期ＣＳパラメータ；
【数８７】
2021503810.tif 001444
：１つまたは複数のタイムユニットでのシンボル番号；
【数８８】
2021503810.tif 001445
：１つのＲＢに含まれるサブキャリア数；
または、
第３式によって、各シンボルに対応する目標ＣＳパラメータ
【数８９】
2021503810.tif 001446
を決定すること、
【数９０】
2021503810.tif 001447
（第３式）
ここで、
【数９１】
2021503810.tif 001448
；
【数９２】
2021503810.tif 001449
：設定ＩＤまたはセルＩＤで初期化を行う疑似ランダム系列；
【数９３】
2021503810.tif 001450
：番号
【数９４】
2021503810.tif 001451
のタイムユニットで番号
【数９５】
2021503810.tif 001452
のシンボルに対応する目標ＣＳパラメータ；
【数９６】
2021503810.tif 001453
：前記初期ＣＳパラメータ；
【数９７】
2021503810.tif 001454
：１つまたは複数のタイムユニットでのシンボル番号；
【数９８】
2021503810.tif 001455
：タイムユニット番号；
【数９９】
2021503810.tif 001456
：１つのＲＢに含まれるサブキャリア数；
【数１００】
2021503810.tif 001457
：ＣＳ間隔；
【数１０１】
2021503810.tif 001458
：１つのスロットに含まれるシンボル数；
または、
第４式によって、各シンボルに対応する目標ＣＳパラメータ
【数１０２】
2021503810.tif 001459
を決定すること、
【数１０３】
2021503810.tif 001460
（第４式）
ここで、
【数１０４】
2021503810.tif 001461
；
【数１０５】
2021503810.tif 001462
：設定ＩＤまたはセルＩＤで初期化を行う疑似ランダム系列；
【数１０６】
2021503810.tif 001463
：番号
【数１０７】
2021503810.tif 001464
のシンボルに対応する目標ＣＳパラメータ；
【数１０８】
2021503810.tif 001465
：前記初期ＣＳパラメータ；
【数１０９】
2021503810.tif 001466
：１つまたは複数のタイムユニットでのシンボル番号；
【数１１０】
2021503810.tif 001467
：１つのＲＢに含まれるサブキャリア数；
【数１１１】
2021503810.tif 001468
：ＣＳ間隔；
または、
第５式によって、各シンボルに対応する目標ＣＳパラメータ
【数１１２】
2021503810.tif 001469
を決定すること、
【数１１３】
2021503810.tif 001470
（第５式）
ここで、
【数１１４】
2021503810.tif 001471
；
【数１１５】
2021503810.tif 001472
：設定ＩＤまたはセルＩＤで初期化を行う疑似ランダム系列；
【数１１６】
2021503810.tif 001473
：番号
【数１１７】
2021503810.tif 001474
のタイムユニットで番号
【数１１８】
2021503810.tif 001475
のシンボルに対応する目標ＣＳパラメータ；
【数１１９】
2021503810.tif 001476
：前記初期ＣＳパラメータ；
【数１２０】
2021503810.tif 001477
：１つまたは複数のタイムユニットでのシンボル番号；
【数１２１】
2021503810.tif 001478
：タイムユニット番号；
【数１２２】
2021503810.tif 001479
：１つのＲＢに含まれるサブキャリア数；
【数１２３】
2021503810.tif 001480
：ＣＳ間隔；
【数１２４】
2021503810.tif 001481
：１つのスロットに含まれるシンボル数；
または、
第６式によって、各シンボルに対応する目標ＣＳパラメータ
【数１２５】
2021503810.tif 001482
を決定すること、
【数１２６】
2021503810.tif 001483
（第６式）
ここで、
【数１２７】
2021503810.tif 001484
；
【数１２８】
2021503810.tif 001485
：設定ＩＤまたはセルＩＤで初期化を行う疑似ランダム系列；
【数１２９】
2021503810.tif 001486
：番号
【数１３０】
2021503810.tif 001487
のシンボルに対応する目標ＣＳパラメータ；
【数１３１】
2021503810.tif 001488
：前記初期ＣＳパラメータ；
【数１３２】
2021503810.tif 001489
：１つまたは複数のタイムユニットでのシンボル番号；
【数１３３】
2021503810.tif 001490
：１つのＲＢに含まれるサブキャリア数；
【数１３４】
2021503810.tif 001491
：ＣＳ間隔；
を含む、請求項５に記載の方法。
【請求項７】
前記タイムユニットは、
１つまたは複数のスロット、
または、１４個のシンボル、
または、１つまたは複数のサブフレーム、
を含む、請求項６に記載の方法。
【請求項８】
前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである、請求項５〜７のいずれか一項に記載の方法。
【請求項９】
初期ＣＳパラメータ、および、少なくともシンボル番号に関連するランダム値に基づき、各シンボルに対応する目標ＣＳパラメータを決定するための第１計算モジュールと、
前記目標ＣＳパラメータに従って、ＰＵＣＣＨを送信するための送信モジュールと、
を含む、端末。
【請求項１０】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数１３５】
2021503810.tif 001492
を決定すること、
【数１３６】
2021503810.tif 001493
（第１式）
ここで、
【数１３７】
2021503810.tif 001494
；
【数１３８】
2021503810.tif 001495
：設定ＩＤまたはセルＩＤで初期化を行う疑似ランダム系列；
【数１３９】
2021503810.tif 001496
：番号
【数１４０】
2021503810.tif 001497
のタイムユニットで番号
【数１４１】
2021503810.tif 001498
のシンボルに対応する目標ＣＳパラメータ；
【数１４２】
2021503810.tif 001499
：前記初期ＣＳパラメータ；
【数１４３】
2021503810.tif 001500
：１つまたは複数のタイムユニットでのシンボル番号；
【数１４４】
2021503810.tif 001501
：タイムユニット番号；
【数１４５】
2021503810.tif 001502
：１つのＲＢ（Ｒｅｓｏｕｒｃｅ  Ｂｌｏｃｋ）に含まれるサブキャリア数；
【数１４６】
2021503810.tif 001503
：１つのスロットに含まれるシンボル数；
または、
第２式によって、各シンボルに対応する目標ＣＳパラメータ
【数１４７】
2021503810.tif 001504
を決定すること、
【数１４８】
2021503810.tif 001505
（第２式）
ここで、
【数１４９】
2021503810.tif 001506
；
【数１５０】
2021503810.tif 001507
：設定ＩＤまたはセルＩＤで初期化を行う疑似ランダム系列；
【数１５１】
2021503810.tif 001508
：番号
【数１５２】
2021503810.tif 001509
のシンボルに対応する目標ＣＳパラメータ；
【数１５３】
2021503810.tif 001510
：前記初期ＣＳパラメータ；
【数１５４】
2021503810.tif 001511
：１つまたは複数のタイムユニットでのシンボル番号；
【数１５５】
2021503810.tif 001512
：１つのＲＢに含まれるサブキャリア数；
または、
第３式によって、各シンボルに対応する目標ＣＳパラメータ
【数１５６】
2021503810.tif 001513
を決定すること、
【数１５７】
2021503810.tif 001514
（第３式）
ここで、
【数１５８】
2021503810.tif 001515
；
【数１５９】
2021503810.tif 001516
：設定ＩＤまたはセルＩＤで初期化を行う疑似ランダム系列；
【数１６０】
2021503810.tif 001517
：番号
【数１６１】
2021503810.tif 001518
のタイムユニットで番号
【数１６２】
2021503810.tif 001519
のシンボルに対応する目標ＣＳパラメータ；
【数１６３】
2021503810.tif 001520
：前記初期ＣＳパラメータ；
【数１６４】
2021503810.tif 001521
：１つまたは複数のタイムユニットでのシンボル番号；
【数１６５】
2021503810.tif 001522
：タイムユニット番号；
【数１６６】
2021503810.tif 001523
：１つのＲＢに含まれるサブキャリア数；
【数１６７】
2021503810.tif 001524
：ＣＳ間隔；
【数１６８】
2021503810.tif 001525
：１つのスロットに含まれるシンボル数；
または、
第４式によって、各シンボルに対応する目標ＣＳパラメータ
【数１６９】
2021503810.tif 001526
を決定すること、
【数１７０】
2021503810.tif 001527
（第４式）
ここで、
【数１７１】
2021503810.tif 001528
；
【数１７２】
2021503810.tif 001529
：設定ＩＤまたはセルＩＤで初期化を行う疑似ランダム系列；
【数１７３】
2021503810.tif 001530
：番号
【数１７４】
2021503810.tif 001531
のシンボルに対応する目標ＣＳパラメータ；
【数１７５】
2021503810.tif 001532
：前記初期ＣＳパラメータ；
【数１７６】
2021503810.tif 001533
：１つまたは複数のタイムユニットでのシンボル番号；
【数１７７】
2021503810.tif 001534
：１つのＲＢに含まれるサブキャリア数；
【数１７８】
2021503810.tif 001535
：ＣＳ間隔；
または、
第５式によって、各シンボルに対応する目標ＣＳパラメータ
【数１７９】
2021503810.tif 001536
を決定すること、
【数１８０】
2021503810.tif 001537
（第５式）
ここで、
【数１８１】
2021503810.tif 001538
；
【数１８２】
2021503810.tif 001539
：設定ＩＤまたはセルＩＤで初期化を行う疑似ランダム系列；
【数１８３】
2021503810.tif 001540
：番号
【数１８４】
2021503810.tif 001541
のタイムユニットで番号
【数１８５】
2021503810.tif 001542
のシンボルに対応する目標ＣＳパラメータ；
【数１８６】
2021503810.tif 001543
：前記初期ＣＳパラメータ；
【数１８７】
2021503810.tif 001544
：１つまたは複数のタイムユニットでのシンボル番号；
【数１８８】
2021503810.tif 001545
：タイムユニット番号；
【数１８９】
2021503810.tif 001546
：１つのＲＢに含まれるサブキャリア数；
【数１９０】
2021503810.tif 001547
：ＣＳ間隔；
【数１９１】
2021503810.tif 001548
：１つのスロットに含まれるシンボル数；
または、
第６式によって、各シンボルに対応する目標ＣＳパラメータ
【数１９２】
2021503810.tif 001549
を決定すること、
【数１９３】
2021503810.tif 001550
（第６式）
ここで、
【数１９４】
2021503810.tif 001551
；
【数１９５】
2021503810.tif 001552
：設定ＩＤまたはセルＩＤで初期化を行う疑似ランダム系列；
【数１９６】
2021503810.tif 001553
：番号
【数１９７】
2021503810.tif 001554
のシンボルに対応する目標ＣＳパラメータ；
【数１９８】
2021503810.tif 001555
：前記初期ＣＳパラメータ；
【数１９９】
2021503810.tif 001556
：１つまたは複数のタイムユニットでのシンボル番号；
【数２００】
2021503810.tif 001557
：１つのＲＢに含まれるサブキャリア数；
【数２０１】
2021503810.tif 001558
：ＣＳ間隔；
を含む、請求項９に記載の端末。
【請求項１１】
前記タイムユニットは、
１つまたは複数のスロット、
または、１４個のシンボル、
または、１つまたは複数のサブフレーム、
を含む、請求項１０に記載の端末。
【請求項１２】
前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである、請求項９〜１１のいずれか一項に記載の端末。
【請求項１３】
初期ＣＳパラメータ、および、少なくともシンボル番号に関連するランダム値に基づき、各シンボルに対応する目標ＣＳパラメータを決定するための第２計算モジュールと、
前記目標ＣＳパラメータに従って、端末から送信されるＰＵＣＣＨを受信するための受信モジュールと、
を含む、ネットワーク側機器。
【請求項１４】
前記の初期ＣＳパラメータ、および、少なくともシンボル番号に関連するランダム値に基づき、各シンボルに対応する目標ＣＳパラメータを決定することは、
第１式によって、各シンボルに対応する目標ＣＳパラメータ
【数２０２】
2021503810.tif 001559
を決定すること、
【数２０３】
2021503810.tif 001560
（第１式）
ここで、
【数２０４】
2021503810.tif 001561
；
【数２０５】
2021503810.tif 001562
：設定ＩＤまたはセルＩＤで初期化を行う疑似ランダム系列；
【数２０６】
2021503810.tif 001563
：番号
【数２０７】
2021503810.tif 001564
のタイムユニットで番号
【数２０８】
2021503810.tif 001565
のシンボルに対応する目標ＣＳパラメータ；
【数２０９】
2021503810.tif 001566
：前記初期ＣＳパラメータ；
【数２１０】
2021503810.tif 001567
：１つまたは複数のタイムユニットでのシンボル番号；
【数２１１】
2021503810.tif 001568
：タイムユニット番号；
【数２１２】
2021503810.tif 001569
：１つのＲＢに含まれるサブキャリア数；
【数２１３】
2021503810.tif 001570
：１つのスロットに含まれるシンボル数；
または、
第２式によって、各シンボルに対応する目標ＣＳパラメータ
【数２１４】
2021503810.tif 001571
を決定すること、
【数２１５】
2021503810.tif 001572
（第２式）
ここで、
【数２１６】
2021503810.tif 001573
；
【数２１７】
2021503810.tif 001574
：設定ＩＤまたはセルＩＤで初期化を行う疑似ランダム系列；
【数２１８】
2021503810.tif 001575
：番号
【数２１９】
2021503810.tif 001576
のシンボルに対応する目標ＣＳパラメータ；
【数２２０】
2021503810.tif 001577
：前記初期ＣＳパラメータ；
【数２２１】
2021503810.tif 001578
：１つまたは複数のタイムユニットでのシンボル番号；
【数２２２】
2021503810.tif 001579
：１つのＲＢに含まれるサブキャリア数；
または、
第３式によって、各シンボルに対応する目標ＣＳパラメータ
【数２２３】
2021503810.tif 001580
を決定すること、
【数２２４】
2021503810.tif 001581
（第３式）
ここで、
【数２２５】
2021503810.tif 001582
；
【数２２６】
2021503810.tif 001583
：設定ＩＤまたはセルＩＤで初期化を行う疑似ランダム系列；
【数２２７】
2021503810.tif 001584
：番号
【数２２８】
2021503810.tif 001585
のタイムユニットで番号
【数２２９】
2021503810.tif 001586
のシンボルに対応する目標ＣＳパラメータ；
【数２３０】
2021503810.tif 001587
：前記初期ＣＳパラメータ；
【数２３１】
2021503810.tif 001588
：１つまたは複数のタイムユニットでのシンボル番号；
【数２３２】
2021503810.tif 001589
：タイムユニット番号；
【数２３３】
2021503810.tif 001590
：１つのＲＢに含まれるサブキャリア数；
【数２３４】
2021503810.tif 001591
：ＣＳ間隔；
【数２３５】
2021503810.tif 001592
：１つのスロットに含まれるシンボル数；
または、
第４式によって、各シンボルに対応する目標ＣＳパラメータ
【数２３６】
2021503810.tif 001593
を決定すること、
【数２３７】
2021503810.tif 001594
（第４式）
ここで、
【数２３８】
2021503810.tif 001595
；
【数２３９】
2021503810.tif 001596
：設定ＩＤまたはセルＩＤで初期化を行う疑似ランダム系列；
【数２４０】
2021503810.tif 001597
：番号
【数２４１】
2021503810.tif 001598
のシンボルに対応する目標ＣＳパラメータ；
【数２４２】
2021503810.tif 001599
：前記初期ＣＳパラメータ；
【数２４３】
2021503810.tif 001600
：１つまたは複数のタイムユニットでのシンボル番号；
【数２４４】
2021503810.tif 001601
：１つのＲＢに含まれるサブキャリア数；
【数２４５】
2021503810.tif 001602
：ＣＳ間隔；
または、
第５式によって、各シンボルに対応する目標ＣＳパラメータ
【数２４６】
2021503810.tif 001603
を決定すること、
【数２４７】
2021503810.tif 001604
（第５式）
ここで、
【数２４８】
2021503810.tif 001605
；
【数２４９】
2021503810.tif 001606
：設定ＩＤまたはセルＩＤで初期化を行う疑似ランダム系列；
【数２５０】
2021503810.tif 001607
：番号
【数２５１】
2021503810.tif 001608
のタイムユニットで番号
【数２５２】
2021503810.tif 001609
のシンボルに対応する目標ＣＳパラメータ；
【数２５３】
2021503810.tif 001610
：前記初期ＣＳパラメータ；
【数２５４】
2021503810.tif 001611
：１つまたは複数のタイムユニットでのシンボル番号；
【数２５５】
2021503810.tif 001612
：タイムユニット番号；
【数２５６】
2021503810.tif 001613
：１つのＲＢに含まれるサブキャリア数；
【数２５７】
2021503810.tif 001614
：ＣＳ間隔；
【数２５８】
2021503810.tif 001615
：１つのスロットに含まれるシンボル数；
または、
第６式によって、各シンボルに対応する目標ＣＳパラメータ
【数２５９】
2021503810.tif 001616
を決定すること、
【数２６０】
2021503810.tif 001617
（第６式）
ここで、
【数２６１】
2021503810.tif 001618
；
【数２６２】
2021503810.tif 001619
：設定ＩＤまたはセルＩＤで初期化を行う疑似ランダム系列；
【数２６３】
2021503810.tif 001620
：番号
【数２６４】
2021503810.tif 001621
のシンボルに対応する目標ＣＳパラメータ；
【数２６５】
2021503810.tif 001622
：前記初期ＣＳパラメータ；
【数２６６】
2021503810.tif 001623
：１つまたは複数のタイムユニットでのシンボル番号；
【数２６７】
2021503810.tif 001624
：１つのＲＢに含まれるサブキャリア数；
【数２６８】
2021503810.tif 001625
：ＣＳ間隔；
を含む、請求項１３に記載のネットワーク側機器。
【請求項１５】
前記タイムユニットは、
１つまたは複数のスロット、
または、１４個のシンボル、
または、１つまたは複数のサブフレーム、
を含み、
および／または、
前記初期ＣＳパラメータは、
ネットワーク側機器からハイレイヤシグナリングによって前記端末に対し予め設定されたＣＳパラメータであり、
または、ネットワーク側機器からＤＣＩによって指示されるＣＳパラメータであり、
前記ＤＣＩによって指示されるＣＳパラメータは、
ハイレイヤシグナリングによって前記端末に対し予め設定された複数のｓｅｔのうちの１つのｓｅｔの中のＣＳパラメータである、請求項１４に記載のネットワーク側機器。
【国際調査報告】
2021503810.tif 001626
2021503810.tif 001627
2021503810.tif 001628
2021503810.tif 001629